(57)【特許請求の範囲】
【請求項１】
冷媒を圧縮する容量可変型の圧縮機（２１）と、冷媒の放熱器として機能することが可能な熱源側熱交換器（２４）とを有する熱源ユニット（２）と、
前記熱源ユニット（２）に接続されており、冷媒の蒸発器として機能し水媒体を冷却することが可能な利用側熱交換器（４１ａ，４１ｂ）を有する複数の利用ユニット（４ａ，４ｂ）と、
各前記利用側熱交換器（４１ａ，４１ｂ）における冷媒の蒸発温度が第１目標蒸発温度になるように前記圧縮機（２１）の運転容量制御を行う運転容量制御部（１２ｂ）と、
運転している前記利用ユニット（４ａ，４ｂ）それぞれについて前記利用側熱交換器（４１ａ，４１ｂ）の出口における水媒体の温度が所定の設定温度となるための前記蒸発温度を第２目標蒸発温度として演算し、前記第２目標蒸発温度の最小値を前記第１目標蒸発温度として決定する温度決定部（１２ａ，１９１ａ，１９１ｂ）と、
を備えており、
前記利用側熱交換器（４１ａ，４１ｂ）を流れる冷媒の流量を可変することが可能な流量調節弁（４２ａ，４２ｂ）と、
前記蒸発温度または前記第１目標蒸発温度が前記第２目標蒸発温度よりも低くかつ前記利用側熱交換器（４１ａ，４１ｂ）の出口における水媒体の温度が前記所定の設定温度よりも低い場合、前記流量調節弁（４２ａ，４２ｂ）の開度を小さくする制御を行うことで、前記利用側熱交換器（４１ａ，４１ｂ）における水媒体の出口温度が前記所定の設定温度となるようにする開度制御部（１９２ａ、１９２ｂ）と、
を更に備える、
ヒートポンプシステム（１）。
【請求項２】
容量可変型の循環ポンプ（４３ａ，４３ｂ）を有しており、前記利用側熱交換器（４１ａ，４１ｂ）において冷媒との間で熱交換を行う水媒体が循環する水媒体回路（８０ａ，８０ｂ）と、
前記利用側熱交換器（４１ａ，４１ｂ）の出口における水媒体の温度と前記利用側熱交換器（４１ａ，４１ｂ）の入口における水媒体の温度との差である出入口温度差が所定の温度差となるように前記循環ポンプ（４３ａ，４３ｂ）の運転容量を制御すると共に、前記開度制御部（１９２ａ，１９２ｂ）による前記流量調節弁の開度制御が行われた後に、前記蒸発温度または前記第１目標蒸発温度が前記第２目標蒸発温度よりも低くかつ前記利用側熱交換器（４１ａ，４１ｂ）の出口における水媒体の温度が前記所定の設定温度よりも低い場合、前記利用側熱交換器（４１ａ，４１ｂ）の入口における水媒体の温度が前記所定の設定温度から前記所定の温度差を減算した値となるように、前記循環ポンプ（４３ａ，４３ｂ）の運転容量を下げる制御を行うポンプ容量制御部（１９３ａ，１９３ｂ）と、
を更に備える、
請求項１に記載のヒートポンプシステム（１）。
【請求項３】
冷媒を圧縮する容量可変型の圧縮機（２１）と、冷媒の放熱器として機能することが可能な熱源側熱交換器（２４）とを有する熱源ユニット（２）と、
前記熱源ユニット（２）に接続されており、冷媒の蒸発器として機能し水媒体を冷却することが可能な利用側熱交換器（４１ａ，４１ｂ）を有する複数の利用ユニット（４ａ，４ｂ）と、
各前記利用側熱交換器（４１ａ，４１ｂ）における冷媒の蒸発温度が第１目標蒸発温度になるように前記圧縮機（２１）の運転容量制御を行う運転容量制御部（１２ｂ）と、
運転している前記利用ユニット（４ａ，４ｂ）それぞれについて前記利用側熱交換器（４１ａ，４１ｂ）の出口における水媒体の温度が所定の設定温度となるための前記蒸発温度を第２目標蒸発温度として演算し、前記第２目標蒸発温度の最小値を前記第１目標蒸発温度として決定する温度決定部（１２ａ，１９１ａ，１９１ｂ）と、
を備えており、
容量可変型の循環ポンプ（４３ａ，４３ｂ）を有しており、前記利用側熱交換器（４１ａ，４１ｂ）において冷媒との間で熱交換を行う水媒体が循環する水媒体回路（８０ａ，８０ｂ）と、
前記利用側熱交換器（４１ａ，４１ｂ）の出口における水媒体の温度と前記利用側熱交換器（４１ａ，４１ｂ）の入口における水媒体の温度との差である出入口温度差が所定の温度差となるように前記循環ポンプ（４３ａ，４３ｂ）の運転容量を制御すると共に、前記蒸発温度または前記第１目標蒸発温度が前記第２目標蒸発温度よりも低くかつ前記利用側熱交換器（４１ａ，４１ｂ）の出口における水媒体の温度が前記所定の設定温度よりも低い場合、前記利用側熱交換器（４１ａ，４１ｂ）の入口における水媒体の温度が前記所定の設定温度から前記所定の温度差を減算した値となるように、前記循環ポンプ（４３ａ，４３ｂ）の運転容量を下げる制御を行うポンプ容量制御部（１９３ａ，１９３ｂ）と、
を更に備える、
ヒートポンプシステム（１）。
【発明の詳細な説明】
【技術分野】
【０００１】
本発明は、ヒートポンプシステム、特に、ヒートポンプサイクルを利用して水媒体を冷却することが可能なヒートポンプシステムに関する。
【背景技術】
【０００２】
従来より、特許文献１（特開２００７−１６３０９９号公報）に示されるような、１台の熱源ユニットに複数台の利用ユニットが接続されたシステムがある。このシステムにおいては、１台の熱源ユニットと、複数台の利用ユニットと、液冷媒連絡配管と、ガス冷媒連絡配管とが接続されることで、蒸気圧縮式の冷媒回路が構成されている。
【発明の概要】
【発明が解決しようとする課題】
【０００３】
上記システムにおいて、利用ユニットの利用流体として水媒体を利用するチラー形のシステムを採用すると共に、利用ユニット毎に水媒体の温度が異なるようにすることで、別々の温度の水が利用できるシステムを考える。この場合、全ての利用ユニットの中で予測される最低水温で常にシステムが運転するといった手法が考えられるが、この手法では、運転効率が必要以上に低くなる恐れがある。
【０００４】
そこで、本発明の課題は、１台の熱源ユニットに水媒体を利用する利用ユニットが複数台接続されたシステムにおいて、不必要に低い効率での運転が行われるのを防ぐこととする。
【課題を解決するための手段】
【０００５】
本発明の第１観念に係るヒートポンプシステムは、熱源ユニットと、複数の利用ユニットと、運転容量制御部と、温度決定部とを備える。熱源ユニットは、圧縮機と熱源側熱交換器とを有する。圧縮機は、冷媒を圧縮する容量可変型の圧縮機である。熱源側熱交換器は、冷媒の放熱器として機能することが可能である。複数の利用ユニットそれぞれは、熱源ユニットに接続されており、利用側熱交換器を有する。利用側熱交換器は、冷媒の蒸発器として機能し、水媒体を冷却することが可能である。運転容量制御部は、各利用側熱交換器における冷媒の蒸発温度が第１目標蒸発温度になるように、圧縮機の運転容量制御を行う。温度決定部は、運転している利用ユニットそれぞれについて、利用側熱交換器の出口における水媒体の温度が所定の設定温度となるための蒸発温度を第２目標蒸発温度として演算する。そして、温度決定部は、該第２目標蒸発温度の最小値を、第１目標蒸発温度として決定する。
【０００６】
このヒートポンプシステムでは、利用ユニットにおいて水媒体が冷却される際、各利用ユニットの利用側熱交換器の出口における水媒体の温度が所定の設定温度となるための第２目標蒸発温度のうち、最小値が、第１目標蒸発温度として決定される。そして、各利用側熱交換器における冷媒の蒸発温度が当該第２目標蒸発温度の最小値（即ち、第１目標蒸発温度）となるように、圧縮機の運転容量制御が行われる。これにより、水媒体の設定温度が個々に異なっている複数の利用ユニットが単一熱源に接続されたヒートポンプシステムにおいて、各利用ユニットには、最適な温度の水媒体が供給されることになる。従って、全ての利用ユニットの中で予測される最低水温で常に運転するといった手法を用いずに、別々の温度の水が利用できるシステムを実現することができるため、不必要に低い効率での運転が行われるのを防ぐことができる。
【０００７】
また、このヒートポンプシステムは、流量調節弁と、開度制御部とを更に備える。流量調節弁は、利用側熱交換器を流れる冷媒の流量を可変することが可能である。開度制御部は、蒸発温度または第１目標蒸発温度が第２目標蒸発温度よりも低く、かつ利用側熱交換器の出口における水媒体の温度が所定の設定温度よりも低い場合、流量調節弁の開度を可変させる制御を行う。
【０００８】
複数台の利用ユニットそれぞれの第２目標蒸発温度における最小値（即ち、第１目標蒸発温度）に基づいて熱源ユニットの圧縮機の運転容量制御がなされると、利用ユニットによっては、蒸発温度または第１目標蒸発温度が第２目標蒸発温度よりも低くなり、利用側熱交換器における出口の水媒体の温度が所定の設定温度よりも低くなる現象が生じる恐れがある。しかし、このヒートポンプシステムでは、このような現象が生じた場合には、流量調節弁の開度を可変させる制御が行われる。これにより、利用側熱交換器内を流れる冷媒の流量を制御することができ、各利用ユニットの水媒体の温度を調節することが可能となる。
【０００９】
さらに、このヒートポンプシステムは、開度制御部は、蒸発温度または第１目標蒸発温度が第２目標蒸発温度よりも低く、かつ利用側熱交換器における水媒体の出口温度が所定の設定温度よりも低い場合、流量調節弁の開度を小さくする制御を行うことで、利用側熱交換器における水媒体の出口温度が所定の設定温度となるようにする。
【００１０】
このヒートポンプシステムでは、蒸発温度または第１目標蒸発温度が第２目標蒸発温度よりも低く、かつ利用側熱交換器の水媒体の出口温度が所定の設定温度よりも低い場合には、流量調節弁の開度は絞られる。これにより、利用側熱交換器内を流れる冷媒の流量が減少するため、利用側熱交換器における冷媒と水媒体との熱交換能力は、流量調節弁の開度が絞られる前に比して低下し、よって利用側熱交換器にて熱交換された後の水媒体の温度は、流量調節弁の開度が絞られる前に比して上昇する。従って、各利用ユニットの水媒体の温度は、最適化される。
【００１１】
本発明の第２観念に係るヒートポンプシステムは、第１観念に係るヒートポンプシステムにおいて、水媒体回路とポンプ容量制御部とを更に備える。水媒体回路は、容量可変型の循環ポンプを有しており、利用側熱交換器において冷媒との間で熱交換を行う水媒体が循環する。ポンプ容量制御部は、蒸発温度または第１目標蒸発温度が第２目標蒸発温度よりも低く、かつ利用側熱交換器の出口における水媒体の温度が所定の設定温度よりも低い場合、循環ポンプの運転容量を可変させる制御を行う。
【００１２】
複数台の利用ユニットそれぞれの第２目標蒸発温度における最小値（即ち、第１目標蒸発温度）に基づいて熱源ユニットの圧縮機の運転容量制御がなされると、利用ユニットによっては、蒸発温度または第１目標蒸発温度が第２目標蒸発温度よりも低くなり、利用側熱交換器における出口の水媒体の温度が所定の設定温度よりも低くなる現象が生じる恐れがある。しかし、このヒートポンプシステムでは、このような現象が生じた場合には、循環ポンプの運転容量を可変する制御が行われる。これにより、水媒体回路内を循環する水媒体の流量を制御することができ、各利用ユニットの水媒体の温度を調節することが可能となる。
【００１３】
また、このヒートポンプシステムは、ポンプ容量制御部は、出入口温度差が所定の温度差となるように、循環ポンプの運転容量を制御する。出入口温度差は、利用側熱交換器の出口における水媒体の温度と、利用側熱交換器の入口における水媒体の温度との差である。更に、ポンプ容量制御部は、蒸発温度または第１目標蒸発温度が第２目標蒸発温度よりも低く、かつ利用側熱交換器の出口における水媒体の温度が所定の設定温度よりも低い場合、利用側熱交換器の入口における水媒体の温度が所定の設定温度から所定の温度差を減算した値となるように、循環ポンプの運転容量を下げる制御を行う。
【００１４】
このヒートポンプシステムでは、利用熱交換器の出入口温度差が所定の温度差となるように、循環ポンプの運転容量が制御される。特に、蒸発温度または第１目標蒸発温度が第２目標蒸発温度よりも低く、かつ利用側熱交換器の水媒体の出口温度が所定の設定温度よりも低い場合には、利用側熱交換器の水媒体の入口温度が所定の設定温度から所定の温度差を減算した値となるように、循環ポンプの運転容量が行われる。これにより、利用側熱交換器の水媒体の出口温度を、入口温度に所定の温度差を足した温度、つまりは所定の設定温度に制御することができる。従って、各利用ユニットの水媒体の温度は、最適化される。
【００１５】
さらに、このヒートポンプシステムは、ポンプ容量制御部は、開度制御部による流量調節弁の開度制御が行われた後に、利用側熱交換器の出口における水媒体の温度が所定の設定温度よりも低い場合に、循環ポンプの運転容量を可変させる制御を行う。
【００１６】
複数台の利用ユニットそれぞれの第２目標蒸発温度における最小値（即ち、第１目標蒸発温度）に基づいて熱源ユニットの圧縮機の運転容量制御がなされると、利用ユニットによっては、蒸発温度または第１目標蒸発温度が第２目標蒸発温度よりも低くなり、利用側熱交換器における出口の水媒体の温度が所定の設定温度よりも低くなる現象が生じる恐れがある。しかし、このヒートポンプシステムでは、このような現象が生じた場合には、先ずは流量調節弁の開度制御が行われる。そして、当該開度制御を行っても、未だ利用側熱交換器の水媒体の出口温度が所定の設定温度に至らなかった場合には、循環ポンプの運転容量の可変制御が行われる。即ち、上記現象が生じた場合には、先ずは利用側熱交換器を流れる冷媒の流量が調節され、それでもなお水媒体の出口温度が所定の設定温度に至らない場合には、水媒体回路内を循環する水媒体の流量が調節される。これにより、各利用ユニットの水媒体の温度を、確実に最適化することができる。
【００１７】
本発明の第３観念に係るヒートポンプシステムは、熱源ユニットと、複数の利用ユニットと、運転容量制御部と、温度決定部とを備える。熱源ユニットは、圧縮機と熱源側熱交換器とを有する。圧縮機は、冷媒を圧縮する容量可変型の圧縮機である。熱源側熱交換器は、冷媒の放熱器として機能することが可能である。複数の利用ユニットそれぞれは、熱源ユニットに接続されており、利用側熱交換器を有する。利用側熱交換器は、冷媒の蒸発器として機能し、水媒体を冷却することが可能である。運転容量制御部は、各利用側熱交換器における冷媒の蒸発温度が第１目標蒸発温度になるように、圧縮機の運転容量制御を行う。温度決定部は、運転している利用ユニットそれぞれについて、利用側熱交換器の出口における水媒体の温度が所定の設定温度となるための蒸発温度を第２目標蒸発温度として演算する。そして、温度決定部は、該第２目標蒸発温度の最小値を、第１目標蒸発温度として決定する。
【００１８】
このヒートポンプシステムでは、利用ユニットにおいて水媒体が冷却される際、各利用ユニットの利用側熱交換器の出口における水媒体の温度が所定の設定温度となるための第２目標蒸発温度のうち、最小値が、第１目標蒸発温度として決定される。そして、各利用側熱交換器における冷媒の蒸発温度が当該第２目標蒸発温度の最小値（即ち、第１目標蒸発温度）となるように、圧縮機の運転容量制御が行われる。これにより、水媒体の設定温度が個々に異なっている複数の利用ユニットが単一熱源に接続されたヒートポンプシステムにおいて、各利用ユニットには、最適な温度の水媒体が供給されることになる。従って、全ての利用ユニットの中で予測される最低水温で常に運転するといった手法を用いずに、別々の温度の水が利用できるシステムを実現することができるため、不必要に低い効率での運転が行われるのを防ぐことができる。
【００１９】
また、このヒートポンプシステムは、水媒体回路とポンプ容量制御部とを更に備える。水媒体回路は、容量可変型の循環ポンプを有しており、利用側熱交換器において冷媒との間で熱交換を行う水媒体が循環する。ポンプ容量制御部は、蒸発温度または第１目標蒸発温度が第２目標蒸発温度よりも低く、かつ利用側熱交換器の出口における水媒体の温度が所定の設定温度よりも低い場合、循環ポンプの運転容量を可変させる制御を行う。
【００２０】
複数台の利用ユニットそれぞれの第２目標蒸発温度における最小値（即ち、第１目標蒸発温度）に基づいて熱源ユニットの圧縮機の運転容量制御がなされると、利用ユニットによっては、蒸発温度または第１目標蒸発温度が第２目標蒸発温度よりも低くなり、利用側熱交換器における出口の水媒体の温度が所定の設定温度よりも低くなる現象が生じる恐れがある。しかし、このヒートポンプシステムでは、このような現象が生じた場合には、循環ポンプの運転容量を可変する制御が行われる。これにより、水媒体回路内を循環する水媒体の流量を制御することができ、各利用ユニットの水媒体の温度を調節することが可能となる。
【００２１】
さらに、このヒートポンプシステムは、ポンプ容量制御部は、出入口温度差が所定の温度差となるように、循環ポンプの運転容量を制御する。出入口温度差は、利用側熱交換器の出口における水媒体の温度と、利用側熱交換器の入口における水媒体の温度との差である。更に、ポンプ容量制御部は、蒸発温度または第１目標蒸発温度が第２目標蒸発温度よりも低く、かつ利用側熱交換器の出口における水媒体の温度が所定の設定温度よりも低い場合、利用側熱交換器の入口における水媒体の温度が所定の設定温度から所定の温度差を減算した値となるように、循環ポンプの運転容量を下げる制御を行う。
【００２２】
このヒートポンプシステムでは、利用熱交換器の出入口温度差が所定の温度差となるように、循環ポンプの運転容量が制御される。特に、蒸発温度または第１目標蒸発温度が第２目標蒸発温度よりも低く、かつ利用側熱交換器の水媒体の出口温度が所定の設定温度よりも低い場合には、利用側熱交換器の水媒体の入口温度が所定の設定温度から所定の温度差を減算した値となるように、循環ポンプの運転容量が行われる。これにより、利用側熱交換器の水媒体の出口温度を、入口温度に所定の温度差を足した温度、つまりは所定の設定温度に制御することができる。従って、各利用ユニットの水媒体の温度は、最適化される。
【発明の効果】
【００２３】
以上の説明に述べたように、本発明によれば、以下の効果が得られる。
【００２４】
第１観念に係るシステムよると、全ての利用ユニットの中で予測される最低水温で常に運転するといった手法を用いずに、別々の温度の水が利用できるシステムを実現することができるため、不必要に低い効率での運転が行われるのを防ぐことができる。また、利用側熱交換器内を流れる冷媒の流量を制御することができ、各利用ユニットの水媒体の温度を調節することが可能となる。さらに、各利用ユニットの水媒体の温度は、最適化される。
【００２５】
第２観念に係るシステムによると、水媒体回路内を循環する水媒体の流量を制御することができ、各利用ユニットの水媒体の温度を調節することが可能となる。また、各利用ユニットの水媒体の温度は、最適化される。さらに、各利用ユニットの水媒体の温度を、確実に最適化することができる。
【００２６】
第３観念に係るシステムによると、全ての利用ユニットの中で予測される最低水温で常に運転するといった手法を用いずに、別々の温度の水が利用できるシステムを実現することができるため、不必要に低い効率での運転が行われるのを防ぐことができる。また、水媒体回路内を循環する水媒体の流量を制御することができ、各利用ユニットの水媒体の温度を調節することが可能となる。さらに、各利用ユニットの水媒体の温度は、最適化される。
【図面の簡単な説明】
【００２７】
【図１】本実施形態に係るヒートポンプシステムの概略構成図。
【図２】本実施形態に係る熱源側制御部と該制御部に接続された各種センサ及び各種機器を模式的に示す図。
【図３】本実施形態に係る利用側制御部と該制御部に接続された各種センサ及び各種機器を模式的に示す図。
【図４】本実施形態に係るヒートポンプシステムが冷房運転を行っている場合における、該システムの全体的な動作の流れを示すフロー図。
【図５】本実施形態に係るヒートポンプシステムが冷房運転を行っている場合における、該システムの全体的な動作の流れを示すフロー図。
【図６】変形例１に係る熱源側制御部と該制御部に接続された各種センサ及び各種機器を模式的に示す図。
【図７】変形例１に係る利用側制御部と該制御部に接続された各種センサ及び各種機器を模式的に示す図。
【図８】変形例２に係るヒートポンプシステムが冷房運転を行っている場合における、該システムの全体的な動作の流れを示すフロー図。
【図９】変形例２に係るヒートポンプシステムが冷房運転を行っている場合における、該システムの全体的な動作の流れを示すフロー図。
【図１０】変形例４に係るヒートポンプシステムの概略構成図。
【発明を実施するための形態】
【００２８】
以下、本発明に係るヒートポンプシステムの実施形態について、図面に基づいて説明する。
【００２９】
＜構成＞
−全体−
図１は、本発明の一実施形態に係るヒートポンプシステム１の概略構成図である。ヒートポンプシステム１は、蒸気圧縮機式のヒートポンプサイクルを利用して水媒体を冷却する運転等を行うことが可能な装置である。
【００３０】
ヒートポンプシステム１は、主として、１台の熱源ユニット２と、２台の利用ユニット４ａ，４ｂと、液冷媒連絡管１３と、ガス冷媒連絡管１４と、２台の貯湯ユニット８ａ，８ｂと、２台の水利用冷暖房ユニット９ａ，９ｂと、水媒体連絡管１５ａ，１５ｂ，１６ａ，１６ｂと、熱源側通信部１１と、熱源側制御部１２と、利用側通信部１８ａ，１８ｂと、利用側制御部１９ａ，１９ｂを備えている。熱源ユニット２及び利用ユニット４ａ，４ｂは、液冷媒連絡管１３及びガス冷媒連絡管１４を介して互いに接続されており、これによって熱源側冷媒回路２０を構成している。熱源側冷媒回路２０は、主として、熱源側圧縮機２１（後述）と、熱源側熱交換器２４（後述）と、利用側熱交換器４１ａ（後述）とで構成される。そして、各利用ユニット４ａ，４ｂと各貯湯ユニット８ａ，８ｂと各水利用冷暖房ユニット９ａ，９ｂとが水媒体連絡管１５ａ，１５ｂ，１６ａ，１６ｂを介して接続されることによって、水媒体回路８０ａ，８０ｂが構成されている。
【００３１】
熱源側冷媒回路２０には、ＨＦＣ系冷媒の一種であるＨＦＣ−４１０Ａが熱源側冷媒として封入されており、また、ＨＦＣ系冷媒に対して相溶性を有するエステル系又はエーテル系の冷凍機油が熱源側圧縮機２１（後述）の潤滑のために封入されている。また、水媒体回路８０ａ，８０ｂには、水媒体としての水が循環するようになっている。
【００３２】
なお、各利用ユニット４ａ，４ｂとそれに接続されたユニットのグループ、すなわち、利用ユニット４ａと貯湯ユニット８ａと水利用冷暖房ユニット９ａとの組からなるグループ（ａを含む符号が付されたグループ）と、利用ユニット４ｂと貯湯ユニット８ｂと水利用冷暖房ユニット９ｂとの組からなるグループ（ｂを含む符号が付されたグループ）とは、同一の構成であり、かつ、互いに並列に液冷媒連絡管１３及びガス冷媒連絡管１４に接続されている。
【００３３】
また、以下では、説明を簡単にするため、ヒートポンプシステム１内には２台の利用ユニット４ａ，４ｂが設置されている場合について説明するが、利用ユニット４ａ，４ｂの設置台数は２台以上であればよく、設置台数は２台に限定されない。同様に、貯湯ユニット８ａ，８ｂ及び水利用冷暖房ユニット９ａ，９ｂの設置台数は、それぞれ２台以上であればよく、設置台数は２台に限定されない。
【００３４】
−熱源ユニット２−
熱源ユニット２は、屋外に設置されている。熱源ユニット２は、液冷媒連絡管１３及びガス冷媒連絡管１４を介して各利用ユニット４ａ，４ｂに接続されており、熱源側冷媒回路２０の一部を構成している。
【００３５】
熱源ユニット２は、主として、熱源側圧縮機２１と、油分離機構２２と、熱源側切換機構２３と、熱源側熱交換器２４と、熱源側膨張弁２５と、吸入戻し管２６と、過冷却器２７と、熱源側アキュムレータ２８と、液側閉鎖弁２９と、ガス側閉鎖弁３０とを有している。
【００３６】
熱源側圧縮機２１は、熱源側冷媒を圧縮するための機構であって、容量可変型の圧縮機である。具体的には、ケーシング（図示せず）内に収容されたロータリ式やスクロール式等の容積式の圧縮要素（図示せず）が、同じくケーシング内に収容された熱源側圧縮モータ２１ａによって駆動される密閉式圧縮機である。この熱源側圧縮機２１のケーシング内には、圧縮要素において圧縮された後の熱源側冷媒が充満する高圧空間（図示せず）が形成されており、この高圧空間には、冷凍機油が溜められている。熱源側圧縮機モータ２１ａは、インバータ装置（図示せず）によって、当該モータ２１ａの回転数（即ち、運転周波数）を可変でき、これにより熱源側圧縮機２１の容量制御が可能になっている。
【００３７】
油分離機構２２は、熱源側圧縮機２１から吐出された熱源側冷媒中に含まれる冷凍機油を分離して熱源側圧縮機の吸入に戻すための機構である。油分離機構２２は、主として、熱源側圧縮機２１の熱源側吐出管２１ｂに設けられた油分離器２２ａと、油分離器２２ａ及び熱源側圧縮機２１の熱源側吸入管２１ｃを接続する油戻し管２２ｂとを有している。油分離器２２ａは、熱源側圧縮機２１から吐出された熱源側冷媒中に含まれる冷凍機油を分離する機器である。油戻し管２２ｂは、キャピラリチューブを有している。油戻し管２２ｂは、油分離器２２ａにおいて熱源側冷媒から分離された冷凍機油を、熱源側圧縮機２１の熱源側圧縮機２１の熱源側吸入管２１ｃに戻す冷媒管である。
【００３８】
熱源側切換機構２３は、熱源側熱交換器２４を熱源側冷媒の放熱器として機能させる熱源側放熱運転状態と、熱源側熱交換器２４を熱源側冷媒の蒸発器として機能させる熱源側蒸発運転状態と、を切り換え可能な四路切換弁である。熱源側切換機構２３は、熱源側吐出管２１ｂと、熱源側吸入管２１ｃと、熱源側熱交換器２４のガス側に接続された第１熱源側ガス冷媒管２３ａと、ガス側閉鎖弁３０に接続された第２熱源側ガス冷媒管２３ｂとに接続されている。そして、熱源側切換機構２３は、熱源側吐出管２１ｂと第１熱源側ガス冷媒管２３ａとを連通させると共に、第２熱源側ガス冷媒管２３ｂと熱源側吸入管２１ｃとを連通（熱源側放熱状態に対応、図１の熱源側切換機構２３の実線を参照）させたり、熱源側吐出管２１ｂと第２熱源側ガス冷媒管２３ｂとを連通させると共に、第１熱源側ガス冷媒管２３ａと熱源側吸入管２１ｃとを連通（熱源側蒸発運転状態に対応。図１の熱源側切換機構２３の破線を参照）させたりする切り換えを行うことができる。
【００３９】
尚、熱源側切換機構２３は、四路切換弁に限定されるものではなく、例えば、複数の電磁弁を組み合わせる等によって、上述と同様の熱源側冷媒の流れ方向を切り換える機能を有するように構成したものであってもよい。
【００４０】
熱源側熱交換器２４は、熱源側冷媒と室外空気との熱交換を行うことで熱源側冷媒の放熱器または蒸発器として機能する熱交換器である。熱源側熱交換器２４の液側には、熱源側液冷媒管２４ａが接続されており、当該熱交換器２４のガス側には、第１熱源側ガス冷媒管２３ａが接続されている。この熱源側熱交換器２４において熱源側冷媒と熱交換を行う室外空気は、熱源側ファンモータ３２ａによって駆動される熱源側ファン３２によって供給されるようになっている。
【００４１】
熱源側膨張弁２５は、熱源側熱交換器２４を流れる熱源側冷媒の減圧などを行う電動膨張弁であり、熱源側液冷媒管２４ａに設けられている。
【００４２】
吸入戻し管２６は、熱源側液冷媒管２４ａを流れる熱源側冷媒の一部を分岐して熱源側圧縮機２１の吸入に戻す冷媒管である。ここでは、吸入戻し管２６の一端は、熱源側液冷媒管２４ａに接続されており、当該管２６の他端は、熱源側吸入管２１ｃに接続されている。そして、吸入戻し管２６には、開度制御が可能な吸入戻し膨張弁２６ａが設けられている。尚、吸入戻し膨張弁２６ａは、電動膨張弁で構成されている。
【００４３】
過冷却器２７は、熱源側液冷媒管２４ａを流れる熱源側冷媒と吸入戻し管２６を流れる熱源側冷媒（より具体的には、吸入戻し膨張弁２６ａによって減圧された後の冷媒）との熱交換を行う熱交換器である。
【００４４】
熱源側アキュムレータ２８は、熱源側吸入管２１ｃに設けられており、熱源側冷媒回路２０を循環する熱源側冷媒を熱源側吸入管２１ｃから熱源側圧縮機２１に吸入される前に一次的に溜めるための容器である。
【００４５】
液側閉鎖弁２９は、熱源側液冷媒管２４ａと液冷媒連絡管１３との接続部に設けられた弁である。ガス側閉鎖弁３０は、第２熱源側ガス冷媒管２３ｂとガス冷媒連絡管１４との接続部に設けられた弁である。
【００４６】
また、熱源ユニット２には、各種センサが設けられている。具体的には、熱源ユニット２には、熱源側吸入圧力センサ３３、熱源側吐出圧力センサ３４、熱源側熱交温度センサ３５、外気温度センサ３６が設けられている。熱源側吸入圧力センサ３３は、熱源側圧縮機２１の吸入における熱源側冷媒の圧力である熱源側吸入圧力Ｐｓを検出する。熱源側吐出圧力センサ３４は、熱源側圧縮機２１の吐出における熱源側冷媒の圧力である熱源側吐出圧力Ｐｄを検出する。熱源側熱交温度センサ３５は、熱源側熱交換器２４の液側における熱源側冷媒の温度である熱源側熱交換器温度Ｔｈｘを検出する。外気温度センサ３６は、外気温度Ｔｏを検出する。
【００４７】
−液冷媒連絡管−
液冷媒連絡管１３は、液側閉鎖弁２９を介して熱源側液冷媒管２４ａに接続されている。液冷媒連絡管１３は、熱源側切換機構２３が熱源側放熱運転状態である場合において、熱源側冷媒の放熱器として機能する熱源側熱交換器２４の出口から熱源ユニット２の外部に熱源側冷媒を導出することが可能な冷媒管である。また、液冷媒連絡管１３は、熱源側切換機構２３が熱源側蒸発運転状態である場合において、熱源ユニット２の外部から熱源側冷媒の蒸発器として機能する熱源側熱交換器２４の入口に熱源側冷媒を導入することが可能な冷媒管である。
【００４８】
−ガス冷媒連絡管−
ガス冷媒連絡管１４は、ガス側閉鎖弁３０を介して第２熱源側ガス冷媒管２３ｂに接続されている。ガス冷媒連絡管１４は、熱源側切換機構２３が熱源側放熱運転状態である場合において、熱源ユニット２の外部から熱源側圧縮機２１の吸入に熱源側冷媒を導入することが可能な冷媒管である。また、ガス冷媒連絡管１４は、熱源側切換機構２３が熱源側蒸発運転状態である場合において、熱源側圧縮機２１の吐出から熱源ユニット２の外部に熱源側冷媒を導出することが可能な冷媒管である。
【００４９】
−利用ユニット−
利用ユニット４ａ，４ｂは、それぞれ屋内に設置されている。利用ユニット４ａ，４ｂは、液冷媒連絡管１３及びガス冷媒連絡管１４を介して熱源ユニット２に接続されており、熱源側冷媒回路２０の一部を構成している。また、各利用ユニット４ａ，４ｂは、水媒体連絡管１５ａ，１６ａ，１５ｂ，１６ｂを介して各貯湯ユニット８ａ，８ｂ及び各水利用冷暖房ユニット９ａ，９ｂに接続されており、各水媒体回路８０ａ，８０ｂの一部を構成している。
【００５０】
利用ユニット４ａ，４ｂは、暖房運転時及び給湯運転時には、水媒体を加熱する水媒体加熱運転を行うことができ、冷房運転時には、水媒体を冷却する水媒体冷却運転を行うことができる。利用ユニット４ａ，４ｂは、主として、利用側熱交換器４１ａ，４１ｂと、利用側流量調節弁４２ａ，４２ｂ（流量調節弁に相当）と、循環ポンプ４３ａ，４３ｂとを有している。
【００５１】
利用側熱交換器４１ａ，４１ｂは、熱源側冷媒と水媒体との熱交換を行う。具体的には、利用側熱交換器４１ａ，４１ｂは、暖房運転時及び給湯運転時には、熱源側冷媒の放熱器として機能することで、水媒体を加熱することができる（即ち、水媒体加熱運転）。逆に、利用側熱交換器４１ａ，４１ｂは、冷房運転時には、熱源側冷媒の蒸発器として機能することで、水媒体を冷却することができる（即ち、水媒体冷却運転）。利用側熱交換器４１ａ，４１ｂのうち、熱源側冷媒が流れる流路の液側には、利用側冷媒管４５ａ，４５ｂが接続されており、熱源側冷媒が流れる流路のガス側には、利用側冷媒管４６ａ，４６ｂが接続されている。また、利用側熱交換器４１ａ，４１ｂのうち、水媒体が流れる流路の入口側には、利用側水入口管４７ａ，４７ｂが接続されており、水媒体が流れる流路の出口側には、利用側水出口管４８ａ，４８ｂが接続されている。利用側冷媒管４５ａ，４５ｂには、液冷媒連絡管１３が接続されており、利用側冷媒管４６ａ，４６ｂには、ガス冷媒連絡管１４が接続されている。利用側水入口管４７ａ，４７ｂには、水媒体連絡管１５ａ，１５ｂが接続されており、利用側水出口管４８ａ，４８ｂには、水媒体連絡管１６ａ，１６ｂが接続されている。
【００５２】
利用側流量調節弁４２ａ，４２ｂは、該調節弁４２ａ，４２ｂ自身の開度調整が行われることで、利用側熱交換器４１ａ，４１ｂを流れる熱源側冷媒の流量を可変することが可能な電動膨張弁である。利用側流量調節弁４２ａ，４２ｂは、利用側冷媒管４５ａ，４５ｂに接続されている。
【００５３】
循環ポンプ４３ａ，４３ｂは、水媒体の昇圧を行う機構であって、利用側水出口管４８ａ，４８ｂに設けられている。具体的には、循環ポンプ４３ａ，４３ｂとしては、遠心式や容積式のポンプ要素（図示せず）が循環ポンプモータ４４ａ，４４ｂによって駆動されるポンプが採用されている。循環ポンプモータ４４ａ，４４ｂは、インバータ装置（図示せず）によってその回転数（即ち、運動周波数）を個々に異なる回転数に可変でき、これにより循環ポンプ４３ａ，４３ｂの容量制御が可能になっている。
【００５４】
また、利用ユニット４ａ，４ｂには、各種のセンサが設けられている。具体的には、利用ユニット４ａには、利用側熱交換温度センサ５０ａ，５０ｂ、水媒体入口温度センサ５１ａ，５１ｂ及び水媒体出口温度センサ５２ａ，５２ｂが設けられている。利用側熱交換温度センサ５０ａ，５０ｂは、各利用側熱交換器４１ａ，４１ｂの液側における熱源側冷媒の温度である利用側冷媒温度Ｔｓｃ１ａ，Ｔｓｃ１ｂを検出する。水媒体入口温度センサ５１ａ，５１ｂは、各利用側熱交換器４１ａ，４１ｂの入口における水媒体の温度である水媒体入口温度Ｔｗｒａ，Ｔｗｒｂを検出する。水媒体出口温度センサ５２ａ，５２ｂは、各利用側熱交換器４１ａ，４１ｂの出口における水媒体の温度である水媒体出口温度Ｔｗｌａ，Ｔｗｌｂを検出する。
【００５５】
−貯湯ユニット−
貯湯ユニット８ａ，８ｂは、利用ユニット４ａ，４ｂから供給される水媒体を使用する水媒体機器であって、それぞれ屋内に設置されている。貯湯ユニット８ａ，８ｂは、水媒体連絡管１５ａ，１６ａ，１５ｂ，１６ｂを介して各利用ユニット４ａ，４ｂと接続されており、各水媒体回路８０ａ，８０ｂの一部を構成している。
【００５６】
貯湯ユニット８ａ，８ｂは、主として、貯湯タンク８１ａ，８１ｂと、熱交換コイル８２ａ，８２ｂとを有している。
【００５７】
貯湯タンク８１ａ，８１ｂは、給湯に供される水媒体としての水を溜める容器である。貯湯タンク８１ａ，８１ｂの上部には、蛇口やシャワー等に温水となった水媒体を送るための給湯管８３ａ，８３ｂが接続されており、下部には、給湯管８３ａ，８３ｂによって消費された水媒体の補充を行うための給水管８４ａ，８４ｂが接続されている。
【００５８】
熱交換コイル８２ａ，８２ｂは、貯湯タンク８１ａ，８１ｂ内に設けられている。熱交換コイル８２ａ，８２ｂは、水媒体回路８０ａ，８０ｂを循環する水媒体と貯湯タンク８１ａ，８１ｂ内の水媒体との熱交換を行うことで貯湯タンク８１ａ，８１ｂ内の水媒体の加熱器として機能する熱交換器である。熱交換コイル８２ａ，８２ｂの入口には、水媒体連絡管１６ａ，１６ｂが接続され、熱交換コイル８２ａ，８２ｂの出口には、水媒体連絡管１５ａ，１５ｂが接続されている。
【００５９】
これにより、貯湯ユニット８ａ，８ｂは、給湯運転時及び暖房運転時には、利用ユニット４ａ，４ｂにおいて加熱された水媒体回路８０ａ，８０ｂを循環する水媒体によって、貯湯タンク８１ａ，８１ｂ内の水媒体を加熱して温水として溜めることが可能となっている。尚、ここでは、貯湯ユニット８ａ，８ｂとして、利用ユニット４ａ，４ｂにおいて加熱された水媒体との熱交換によって加熱された水媒体を貯湯タンクに溜める型式の貯湯ユニットを採用しているが、利用ユニット４ａ，４ｂにおいて加熱された水媒体を貯湯タンクに溜める型式の貯湯ユニットが採用されもよい。
【００６０】
また、貯湯ユニット８ａ，８ｂには、各種センサが設けられている。具体的に、貯湯ユニット８ａ，８ｂには、貯湯タンク８１ａ，８１ｂに溜められる水媒体の温度である貯湯温度Ｔｗｈａ，Ｔｗｈｂを検出するための貯湯温度センサ８５ａ，８５ｂが設けられている。
【００６１】
−水利用冷暖房ユニット−
水利用冷暖房ユニット９ａ，９ｂは、利用ユニット４ａ，４ｂから供給される水媒体を使用する水媒体機器であって、それぞれ屋内に設置されている。水利用冷暖房ユニット９ａ，９ｂは、水媒体連絡管１５ａ，１５ｂ，１６ａ，１６ｂを介して各利用ユニット４ａ，４ｂに接続されており、各水媒体回路８０ａ，８０ｂの一部を構成している。
【００６２】
水利用冷暖房ユニット９ａ，９ｂは、水媒体回路８０ａ，８０ｂ内を循環する水媒体を利用して、冷房運転及び暖房運転を行うことができるユニットである。このような水利用冷暖房ユニット９ａ，９ｂは、主として、熱交換パネル９１ａ，９１ｂを有しており、コンベクターや床冷暖房パネル等を構成している。
【００６３】
熱交換パネル９１ａ，９１ｂは、コンベクターの場合には、室内の壁際等に設けられ、床冷暖房パネルの場合には、室内の床下等に設けられている。熱交換パネル９１ａ，９１ｂは、水媒体回路８０ａ，８０ｂを循環する水媒体の放熱器または吸熱器として機能する熱交換器である。熱交換パネル９１ａ，９１ｂの入口には、水媒体連絡管１６ａ，１６ｂが接続されており、各熱交換パネル９１ａ，９１ｂの出口には、水媒体連絡管１５ａ，１５ｂが接続されている。
【００６４】
−水媒体連絡管−
水媒体連絡管１５ａ，１５ｂは、それぞれ各貯湯ユニット８ａ，８ｂの熱交換コイル８２ａ，８２ｂの出口及び各水利用冷暖房ユニット９ａ，９ｂの熱交換パネル９１ａ，９１ｂの出口に接続されている。水媒体連絡管１６ａ，１６ｂは、それぞれ各貯湯ユニット８ａ，８ｂの熱交換コイル８２ａ，８２ｂの入口及び各水利用冷暖房ユニット９ａ，９ｂの熱交換パネル９１ａ，９１ｂの入口に接続されている。水媒体連絡管１６ａ，１６ｂには、水媒体回路８０ａ，８０ｂを循環する水媒体を貯湯ユニット８ａ，８ｂ及び水利用冷暖房ユニット９ａ，９ｂの両方、又は、貯湯ユニット８ａ，８ｂ及び水利用冷暖房ユニット９ａ，９ｂのいずれか一方に水媒体を供給するかの切り換えを行うことが可能な水媒体側切換機構１６１ａ，１６１ｂが設けられている。この水媒体側切換機構１６１ａ，１６１ｂは、三方弁で構成される。
【００６５】
−熱源側通信部−
熱源側通信部１１は、熱源側制御部１２に電気的に接続されており、熱源ユニット２内に設けられている。熱源側通信部１１は、各利用側制御部１９ａ，１９ｂと共に利用ユニット４ａ，４ｂ内に設けられている利用側通信部１８ａ，１８ｂ（後述）と電気的に接続されている。熱源側通信部１１は、ヒートポンプシステム１の運転状態及び制御に関する各種情報や各種データを、利用側通信部１８ａ，１８ｂから受信したり、利用側通信部１８ａ，１８ｂに送信したりすることができる。
【００６６】
特に、熱源側通信部１１は、各利用ユニット４ａ，４ｂにおける利用側制御部１９ａ，１９ｂそれぞれによって演算された第２目標蒸発温度Ｔｔｅ２ａ，Ｔｔｅ２ｂを、各利用側通信部１８ａ，１８ｂから受信する。
【００６７】
ここで、上記第２目標蒸発温度Ｔｔｅ２ａ，Ｔｔｅ２ｂとは、各利用ユニット４ａ，４ｂが冷房運転（即ち、水媒体冷却運転）を行っている場合において、各利用側熱交換器４１ａ，４１ｂの出口における水媒体の温度Ｔｗｌａ，Ｔｗｌｂが所定の設定温度Ｔｓａ，Ｔｓｂとなるための蒸発温度Ｔｅである。例えば、利用側熱交換器４１ａ，４１ｂの出口における水媒体の設定温度Ｔｓａ，Ｔｓｂ、即ち、水利用冷暖房ユニット９ａ，９ｂにおいて利用を所望されている冷水の温度が、利用ユニット４ａにおいては“７℃”、利用ユニット４ｂにおいては“５℃”と設定されているとする。この場合、利用側熱交換器４１ａ，４１ｂそれぞれの出口における水媒体の温度Ｔｗｌａ，Ｔｗｌｂが対応する設定温度Ｔｓａ，Ｔｓｂ（具体的には、７℃や５℃）となるためには、各利用側熱交換器４１ａ，４１ｂにおける冷媒の蒸発温度Ｔｅが何度である必要があるかを示すデータが、上述した各利用ユニット４ａ，４ｂの“第２目標蒸発温度Ｔｔｅ２ａ，Ｔｔｅ２ｂ”として、熱源側通信部１１により受信される。
【００６８】
尚、当該第２目標蒸発温度Ｔｔｅ２ａ，Ｔｔｅ２ｂの受信動作については、熱源側通信部１１は、どのようなタイミングで該第２目標蒸発温度Ｔｔｅ２ａ，Ｔｔｅ２ｂを受信してもよい。例えば、熱源側通信部１１は、設定温度Ｔｓａ，Ｔｓｂが変更されたことによって第２目標蒸発温度Ｔｔｅ２ａ，Ｔｔｅ２ｂの演算が再度行われた場合に、該当する利用ユニット４ａ，４ｂから新たに演算した後の第２目標蒸発温度Ｔｔｅ２ａ，Ｔｔｅ２ｂを受信してもよい。また、熱源側通信部１１は、例えば１時間毎等のように、決められた時間毎にヒートポンプシステム１内の利用ユニット４ａ，４ｂ全てから第２目標蒸発温度Ｔｔｅ２ａ，Ｔｔｅ２ｂを受信してもよい。
【００６９】
また、熱源側通信部１１は、利用側制御部１９ａ，１９ｂによって決定された第１目標蒸発温度Ｔｔｅ１を、各利用側通信部１８ａ，１８ｂに送信する。尚、第１目標蒸発温度Ｔｔｅ１については、以下に記載する“−熱源側制御部−”において説明する。
【００７０】
−熱源側制御部−
熱源側制御部１２は、ＣＰＵ及びメモリからなるマイクロコンピュータで構成されており、熱源ユニット２内に設けられている。熱源側制御部１２は、図２に示すように、熱源ユニット２が有する熱源側圧縮機モータ２１ａ、熱源側切換機構２３、熱源側膨張弁２５及び各種センサ３３〜３６と接続されている。熱源側制御部１２は、各種センサ３３〜３６による検出結果等に基づいて、熱源側圧縮機モータ２１ａの回転数制御、熱源側切換機構２３の状態切換制御、及び熱源側膨張弁２５の開度制御等を行う。
【００７１】
特に、本実施形態に係る熱源側制御部１２は、第１目標蒸発温度Ｔｔｅ１の決定、及び該第１目標蒸発温度Ｔｔｅ１に基づく熱源側圧縮機２１の運転容量制御を行う。このような制御を行うため、熱源側制御部１２は、主として、第１目標蒸発温度決定部１２ａ（温度決定部の一部に相当）、及び運転容量制御部１２ｂとして機能する。
【００７２】
−第１目標蒸発温度決定部−
第１目標蒸発温度決定部１２ａは、各利用ユニット４ａ，４ｂの利用側制御部１９ａ，１９ｂそれぞれによって演算された第２目標蒸発温度Ｔｔｅ２ａ，Ｔｔｅ２ｂの中から最小値を抽出し、これを第１目標蒸発温度Ｔｔｅ１として決定する。即ち、第１目標蒸発温度決定部１２ａは、各利用ユニット４ａ，４ｂの設定温度Ｔｓａ，Ｔｓｂに基づいて決定された複数の第２目標蒸発温度Ｔｔｅ２ａ，Ｔｔｅ２ｂのうち、一番低い第２目標蒸発温度を、第１目標蒸発温度Ｔｔｅ１と決定する。
【００７３】
−運転容量制御部−
運転容量制御部１２ｂは、各利用側熱交換器４１ａ，４１ｂにおける冷媒の蒸発温度Ｔｅが第１目標蒸発温度Ｔｔｅ１となるように、熱源側圧縮機モータ２１ａの回転数（即ち、運転周波数）を制御することで、熱源側圧縮機２１の運転容量を制御する。即ち、運転容量制御部１２ｂは、各利用ユニット４ａ，４ｂにおける冷水の設定温度Ｔｓａ，Ｔｓｂが利用ユニット４ａ，４ｂ毎に異なるシステム１において、その設定温度Ｔｓａ，Ｔｓｂの水媒体を水利用冷暖房ユニット９ａ，９ｂに出力するために該システム１内の全ての利用側熱交換器４１ａ，４１ｂにて必要とされる蒸発温度Ｔｅ（即ち、第２目標蒸発温度Ｔｔｅ２ａ，Ｔｔｅ２ｂ）のうち、一番低い第２目標蒸発温度（即ち、第１目標蒸発温度Ｔｔｅ１）に基づいて熱源側圧縮機２１の運転容量を制御する。
【００７４】
−利用側通信部−
利用側通信部１８ａ，１８ｂは、それぞれ各利用側制御部１９ａ，１９ｂに電気的に接続されており、利用ユニット４ａ，４ｂ内に設けられている。利用側通信部１８ａ，１８ｂは、熱源側制御部１２と共に熱源ユニット２内に設けられている熱源側通信部１１と電気的に接続されている。利用側通信部１８ａ，１８ｂは、ヒートポンプシステム１の運転状態及び制御に関する各種情報や各種データを、熱源側通信部１１から受信したり、熱源側通信部１１に送信したりすることができる。
【００７５】
特に、各利用側通信部１８ａ，１８ｂは、利用側制御部１９ａ，１９ｂそれぞれが演算した第２目標蒸発温度Ｔｔｅ２ａ，Ｔｔｅ２ｂを、熱源側通信部１１に送信する。また、利用側通信部１８ａ，１８ｂは、第１目標蒸発温度決定部１２ａとして機能する熱源側制御部１２によって決定された第１目標蒸発温度Ｔｔｅ１を、熱源側通信部１１から受信する。
【００７６】
尚、第２目標蒸発温度Ｔｔｅ２ａ，Ｔｔｅ２ｂの送信動作については、利用側通信部１８ａ，１８ｂは、利用側制御部１９ａ，１９ｂが第２目標蒸発温度Ｔｔｅ２ａ，Ｔｔｅ２ｂの演算を再度行った場合に送信してもよいし、例えば１時間毎等のように、決められた時間毎に第２目標蒸発温度Ｔｔｅ２ａ，Ｔｔｅ２ｂを送信してもよい。
【００７７】
−利用側制御部−
利用側制御部１９ａ，１９ｂは、ＣＰＵ及びメモリからなるマイクロコンピュータで構成されており、各利用ユニット４ａ，４ｂ内に設けられている。各利用側制御部１９ａ，１９ｂは、図３に示すように、利用側流量調節弁４２ａ，４２ｂ、循環ポンプモータ４４ａ，４４ｂ、及び各種センサ５０ａ，５１ａ，５２ａ，５０ｂ，５１ｂ，５２ｂと接続されている。各利用側制御部１９ａ，１９ｂは、各種センサ５０ａ，５１ａ，５２ａ、５０ｂ，５１ｂ，５２ｂによる検出結果や、熱源側通信部１１から送られてくるヒートポンプシステム１の運転状態及び制御に関する各種情報等に基づいて、接続された各種機器の制御を行う。具体的には、利用側制御部１９ａ，１９ｂは、利用側流量調節弁４２ａ，４２ｂの開度制御による熱源側冷媒の冷媒流量制御、及び循環ポンプモータ４４ａ，４４ｂの回転数制御による循環ポンプ４３ａ，４３ｂの流量制御を行う。
【００７８】
特に、本実施形態に係る各利用側制御部１９ａ，１９ｂは、利用ユニット４ａ，４ｂが冷房運転（即ち、水媒体冷却運転）をしている場合において、第２目標蒸発温度Ｔｔｅ２ａ，Ｔｔｅ２ｂの演算、該第２目標蒸発温度Ｔｔｅ２ａ，Ｔｔｅ２ｂ及び水媒体の設定温度Ｔｓａ，Ｔｓｂ等に基づく利用側流量調節弁４２ａ，４２ｂの開度制御及び循環ポンプ４３ａ，４３ｂの容量制御を行う。このような制御を行うため、利用側制御部１９ａ，１９ｂは、主として、第２目標蒸発温度演算部１９１ａ，１９１ｂ（温度決定部の一部に相当）、開度制御部１９２ａ，１９２ｂ、及びポンプ容量制御部１９３ａ，１９３ｂとして機能する。
【００７９】
尚、図３では、利用ユニット４ａに係る利用側制御部１９ａ及びその周辺機器と、利用ユニット４ｂに係る利用側制御部１９ｂ及びその周辺機器とが区別可能なように、利用側制御部１９ｂとその周辺機器等についての符号を括弧付きで付している。
【００８０】
−第２目標蒸発温度演算部−
第２目標蒸発温度演算部１９１ａ，１９１ｂは、利用ユニット４ａ，４ｂそれぞれが冷房運転、即ち水媒体冷却運転をしている場合、各利用側熱交換器４１ａ，４１ｂの出口における水媒体の温度Ｔｗｌａ，Ｔｗｌｂが所定の設定温度Ｔｓａ，Ｔｓｂとなるための蒸発温度Ｔｅ（即ち、第２目標蒸発温度Ｔｔｅ２ａ，Ｔｔｅ２ｂ）を演算する。具体的に、各第２目標蒸発温度演算部１９１ａ，１９１ｂは、自身の利用ユニット４ａ，４ｂの設定温度Ｔｓａ，Ｔｓｂ及び熱源側冷媒の各種情報（例えば冷媒の種類、特性等）に基づいて、利用側熱交換器４１ａ，４１ｂから水利用冷暖房ユニット９ａ，９ｂに供給する水媒体（即ち、冷水）の温度が自身の利用ユニット４ａ，４ｂの設定温度Ｔｓａ，Ｔｓｂとなるために必要な蒸発温度Ｔｅを演算し、これを第２目標蒸発温度Ｔｔｅ２ａ，Ｔｔｅ２ｂとする。
【００８１】
−開度制御部−
上述したように、本実施形態に係る熱源ユニット２は、接続された複数台の利用ユニット４ａ，４ｂそれぞれの第２目標蒸発温度Ｔｔｅ２ａ，Ｔｔｅ２ｂにおける最小値（即ち、第１目標蒸発温度Ｔｔｅ１）にあわせるようにして、熱源側圧縮機２１の運転容量制御がなされる。しかし、この場合、例えば利用ユニット４ａにて演算された第２目標蒸発温度Ｔｔｅ２ａよりも他の利用ユニット４ｂにて演算された第２目標蒸発温度Ｔｔｅ２ｂの方が低いために、利用ユニット４ｂにて演算された第２目標蒸発温度Ｔｔｅ２ｂが第１目標蒸発温度Ｔｔｅ１として決定された場合、利用ユニット４ａ内には、自身の演算した第２目標蒸発温度Ｔｔｅ２ａよりも低い第１目標蒸発温度Ｔｔｅ１（即ち、利用ユニット４ｂにて演算された第２目標蒸発温度Ｔｔｅ２ｂ）に基づいて制御された状態の冷媒が流れることとなる。すると、利用ユニット４ａにおける利用側熱交換器４１ａの実際の蒸発温度Ｔｅは、自身の利用ユニット４ａにて演算された第２目標蒸発温度Ｔｔｅ２ａよりも低くなってしまい（例えば、実際の蒸発温度Ｔｅは、第１目標蒸発温度Ｔｔｅ１となる）、この結果、利用側熱交換器４１ａの出口における水媒体の温度Ｔｗｌａが利用ユニット４ａにおける水媒体の設定温度Ｔｓａ以下となってしまう恐れがある。
【００８２】
そこで、各開度制御部１９２ａ，１９２ｂは、現在の蒸発温度Ｔｅが、自身の利用ユニット４ａ，４ｂにて演算された第２目標蒸発温度Ｔｔｅ２ａ，Ｔｔｅ２ｂよりも低く（Ｔｅ＜Ｔｔｅ２ａ，Ｔｔｅ２ｂ）、かつ利用側熱交換器４１ａ，４１ｂの出口における水媒体の温度Ｔｗｌａ，Ｔｗｌｂが自身の利用ユニット４ａ，４ｂにおける所定の設定温度Ｔｓａ，Ｔｓｂよりも低い場合（Ｔｗｌａ＜Ｔｓａ，Ｔｗｌｂ＜Ｔｓｂ）、自身の利用ユニット４ａ，４ｂにおける利用側流量調節弁４２ａ，４２ｂの開度を可変させる。具体的には、各開度調節部１９２ａ，１９２ｂは、蒸発温度Ｔｅが第２目標蒸発温度Ｔｔｅ２ａ，Ｔｔｅ２ｂよりも低く（Ｔｅ＜Ｔｔｅ２ａ，Ｔｔｅ２ｂ）、かつ利用側熱交換器４１ａ，４１ｂの出口における水媒体（即ち、冷水）の温度Ｔｗｌａ，Ｔｗｌｂが所定の設定温度Ｔｓａ，Ｔｓｂよりも低い場合（Ｔｗｌａ＜Ｔｓａ，Ｔｗｌｂ＜Ｔｓｂ）、利用側流量調節弁４２ａ，４２ｂの開度を小さくする制御を行うことで、利用側熱交換器４１ａ，４１ｂの出口における水媒体の温度Ｔｗｌａ，Ｔｗｌｂが所定の設定温度Ｔｓａ，Ｔｓｂとなるようにする。即ち、開度制御部１９２ａ，１９２ｂは、利用側熱交換器４１ａ，４１ｂ内を流れる冷媒の流量を絞ることで、利用側熱交換器４１ａ，４１ｂにおける熱源側冷媒と水媒体との熱交換能力を下げ、利用側熱交換器４１ａ，４１ｂの出口から出力される水媒体の温度を上昇させる。例えば、冷房運転（即ち、水媒体冷却運転）時に蒸発器として機能する利用側熱交換器４１ａ，４１ｂに対し、蒸発器出口過熱度一定制御が行われている場合には、その利用ユニット４ａ，４ｂ内の開度制御部１９２ａ，１９２ｂは、自身の利用ユニット４ａ，４ｂにて演算された第２目標蒸発温度Ｔｔｅ２ａ，Ｔｔｅ２ｂを高めにシフトさせる。この制御により、各利用ユニット４ａ，４ｂから水利用冷暖房ユニット９ａ，９ｂへは、最適な温度の水媒体が供給されるようになる。
【００８３】
−ポンプ容量制御部−
各ポンプ容量制御部１９３ａ，１９３ｂは、自身の利用ユニット４ａ，４ｂの利用側熱交換器４１ａ，４１ｂの出口における水媒体の温度Ｔｗｌａ，Ｔｗｌｂと入口における水媒体の温度Ｔｗｒａ，Ｔｗｒｂとの差である出入口温度差ΔＴｗａ，ΔＴｗｂが所定の温度差ΔＴｗｓａ，ΔＴｗｓｂとなるように、循環ポンプ４３ａ，４３ｂの運転容量を制御する。具体的には、各ポンプ容量制御部１９３ａ，１９３ｂは、水媒体入口温度センサ５１ａ，５１ｂの検出結果と水媒体出口温度センサ５２ａ，５２ｂの検出結果との差を出入口温度差ΔＴｗａ，ΔＴｗｂとして求め（ΔＴｗａ＝Ｔｗｒａ−Ｔｗｌａ、ΔＴｗｂ＝Ｔｗｒｂ−Ｔｗｌｂ）、求めた出入口温度差ΔＴｗａ，Ｔｗｂが所定の温度差ΔＴｗｓａ，ΔＴｗｓｂとなるように各循環ポンプモータ４４ａ，４４ｂの回転数（即ち、運転周波数）を制御することで、各循環ポンプ４３ａ，４３ｂの運転容量を制御し、水媒体回路８０ａ，８０ｂ内の流量を調節する。例えば、出入口温度差ΔＴｗａ，ΔＴｗｂが所定の温度差ΔＴｗｓａ，ΔＴｗｓｂより大きい場合には、ポンプ容量制御部１９３ａ，１９３ｂは、水媒体回路８０ａ，８０ｂを循環する水媒体の流量が少ないと判断し、循環ポンプモータ４４ａ，４４ｂの回転数（即ち、運転周波数）を大きくすることで、循環ポンプ４３ａ，４３ｂの運転容量を大きくする。逆に、出入口温度差ΔＴｗａ，ΔＴｗｂが所定の温度差ΔＴｗｓａ，ΔＴｗｓｂより小さい場合には、ポンプ容量制御部１９３ａ，１９３ｂは、水媒体回路８０ａ，８０ｂを循環する水媒体の流量が多いと判断し、循環ポンプモータ４４ａ，４４ｂの回転数（即ち、運転周波数）を小さくすることで、循環ポンプ４３ａ，４３ｂの運転容量を小さくする。
【００８４】
ここで、所定の温度差ΔＴｗｓａ，ΔＴｗｓｂは、例えば水媒体の設定温度Ｔｓａ，Ｔｓｂや循環ポンプ４３ａ，４３ｂの能力、熱源側冷媒の各種情報（例えば冷媒の種類、特性等）等に基づいて、机上計算やシミュレーション、実験等によって、適宜設定される。
【００８５】
そして、各ポンプ容量制御部１９３ａ，１９３ｂは、自身の利用ユニット４ａ，４ｂが冷房運転（即ち、水媒体冷却運転）をしている場合において、現在の蒸発温度Ｔｅが自身の利用ユニット４ａ，４ｂにて演算された第２目標蒸発温度Ｔｔｅ２ａ，Ｔｔｅ２ｂよりも低く（Ｔｅ＜Ｔｔｅ２ａ，Ｔｔｅ２ｂ）、かつ利用側熱交換器４１ａ，４１ｂの出口における水媒体の温度Ｔｗｌａ，Ｔｗｌｂが自身の利用ユニット４ａ，４ｂにおける所定の設定温度Ｔｓａ，Ｔｓｂよりも低い場合（Ｔｗｌａ＜Ｔｓａ，Ｔｗｌｂ＜Ｔｓｂ）、自身の利用ユニット４ａ，４ｂにおける循環ポンプ４３ａ，４３ｂの運転容量を可変させる制御を行う。具体的には、各ポンプ容量制御部１９３ａ，１９３ｂは、蒸発温度Ｔｅが第２目標蒸発温度Ｔｔｅ２ａ，Ｔｔｅ２ｂよりも低く（Ｔｅ＜Ｔｔｅ２ａ，Ｔｔｅ２ｂ）、かつ利用側熱交換器４１ａ，４１ｂの出口における水媒体（即ち、冷水）の温度Ｔｗｌａ，Ｔｗｌｂが所定の設定温度Ｔｓａ，Ｔｓｂよりも低い場合（Ｔｗｌａ＜Ｔｓａ，Ｔｗｌｂ＜Ｔｓｂ）、利用側熱交換器４１ａ，４１ｂの入口における水媒体の温度（具体的には、水媒体入口温度センサ５１ａ，５１ｂの検出結果）が所定の設定温度Ｔｓａ，Ｔｓｂから所定の温度差ΔＴｗｓａ，ΔＴｗｓｂを減算した値となるように（Ｔｗｒａ＝Ｔｓａ−ΔＴｗｓａ，Ｔｗｒｂ＝Ｔｓｂ−ΔＴｗｓｂ）、循環ポンプ４３ａ，４３ｂの運転容量制御を行う。ここでは、循環ポンプ４３ａ，４３ｂの運転容量は、小さくなる方向に制御される。
【００８６】
特に、本実施形態においては、上記循環ポンプ４３ａ，４３ｂの運転容量制御は、既に述べた開度制御部１９２ａ，１９２ｂによる利用側流量調節弁４２ａ，４２ｂの開度制御が行われた後であって、かつ蒸発温度Ｔｅが第２目標蒸発温度Ｔｔｅ２ａ，Ｔｔｅ２ｂよりも低いために（Ｔｅ＜Ｔｔｅ２ａ，Ｔｔｅ２ｂ）、利用側熱交換器４１ａ，４１ｂの出口における水媒体の温度Ｔｗｌａ，Ｔｗｌｂが所定の設定温度Ｔｓａ，Ｔｓｂよりも低くなっている場合に行われる（Ｔｗｌａ＜Ｔｓａ，Ｔｗｌｂ＜Ｔｓｂ）。即ち、利用側流量調節弁４２ａ，４２ｂの開度制御によって熱源側冷媒の流量が絞られても、なおも利用側熱交換器４１ａ，４１ｂの出口における水媒体の温度Ｔｗｌａ，Ｔｗｌｂが自身の利用ユニット４ａ，４ｂにおける水媒体の設定温度Ｔｓａ，Ｔｓｂ以下となってしまっている状態が解消されていない場合に、循環ポンプ４３ａ，４３ｂの運転容量を可変させることで、水媒体回路８０ａ，８０ｂ内の水媒体の循環量を制御する。これは、利用側流量調節弁４２ａ，４２ｂの開度制御では、水媒体の温度を上昇させるには限界があるため、これを補うために循環ポンプ４３ａ，４３ｂの運転容量制御が行われるのである。また、過熱度が大きくなりすぎると、蒸発器として機能する利用側熱交換器４１ａ，４１ｂ内に冷凍機油が溜まりこんでしまい、熱源ユニット２側に戻らなくなってしまう現象が生じる恐れもある。そのため、本実施形態に係るヒートポンプシステム１では、該システム１の信頼性を確保するためにも、循環ポンプ４３ａ，４３ｂの運転容量制御が行われる。また、利用側流量調節弁４２ａ，４２ｂの開度制御によって熱源側冷媒の流量が絞られると、利用側熱交換器４１ａ，４１ｂにおいて水媒体側の出入口温度差ΔＴｗａ，Ｔｗｂがつくため、循環ポンプ４３ａ，４３ｂの能力を小さくする制御が可能となる。
【００８７】
＜動作＞
次に、ヒートポンプシステム１の動作について説明する。ヒートポンプシステム１の運転種類としては、給湯運転、暖房運転及び冷房運転が上げられる。
【００８８】
−給湯運転及び暖房運転−
給湯運転及び暖房運転のいずれの場合にも、熱源側冷媒回路２０においては、熱源側切換機構２３が熱源側蒸発運転状態（図１の熱源側切換機構２３の破線で示された状態）に切り換えられ、吸入戻し膨張弁２６ａが閉止された状態となる。尚、熱源側熱交換器２４は、蒸発器として機能し、各利用側熱交換器４１ａ，４１ｂは、放熱器として機能する。
【００８９】
このような状態の熱源側冷媒回路２０において、冷凍サイクルにおける定圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍器油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３、第２熱源側ガス冷媒管２３ｂ及びガス側閉鎖弁３０を通じて、熱源ユニット２からガス冷媒連絡管１４に送られる。
【００９０】
ガス冷媒連絡管１４に送られた高圧の熱源側冷媒は、各利用ユニット４ａ，４ｂに送られる。各利用ユニット４ａ，４ｂに送られた高圧の熱源側冷媒は、各利用側冷媒管４６ａ，４５ｂを介して各利用側熱交換器４１ａ，４１ｂに送られる。各利用側熱交換器４１ａ，４１ｂに送られた高圧の熱源側冷媒は、各利用側熱交換器４１ａ，４１ｂにおいて、水媒体回路８０ａ，８０ｂそれぞれを循環する水媒体と熱交換を行って放熱する。各利用側熱交換器４１ａ，４１ｂにおいて放熱した高圧の熱源側冷媒は、利用側流量調節弁４２ａ，４２ｂ及び利用側冷媒管４５ａ，４５ｂそれぞれを通じて、各利用ユニット４ａ，４ｂから液冷媒連絡管１３に送られる。
【００９１】
液冷媒連絡管１３に送られた熱源側冷媒は、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため（即ち、吸入戻し膨張弁２６ａが閉じられている）、過冷却器２７においては熱交換を行うことなく、熱源側膨張弁２５に送られる。熱源側膨張弁２５に送られた熱源側冷媒は、熱源側膨張弁２５において減圧されて、定圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【００９２】
また、給湯運転及び暖房運転のいずれの場合も、各水媒体回路８０ａ，８０ｂにおいては、水媒体加熱運転が行われる。即ち、各利用側熱交換器４１ａ，４１ｂにおける熱源側冷媒の放熱によって、水媒体回路８０ａ，８０ｂそれぞれを循環する水媒体が加熱される。各利用側熱交換器４１ａ，４１ｂにおいて加熱された水媒体（即ち、温水）は、利用側水出口管４８ａ，４８ｂそれぞれを介して各循環ポンプ４３ａ，４３ｂに吸入され昇圧される。
【００９３】
ここで、給湯運転の場合、各水媒体切換機構１６１ａ，１６１ｂは、水利用冷暖房ユニット９ａ，９ｂへは水媒体を供給せず、各貯湯ユニット８ａ，８ｂ側のみに水媒体を供給する状態に切り換えられる。従って、給湯運転の場合、各循環ポンプ４３ａ，４３ｂによって昇圧された水媒体（即ち、温水）は、各利用ユニット４ａ，４ｂから水媒体連絡管１６ａ，１６ｂそれぞれを介して各貯湯ユニット８ａ，８ｂに送られる。各貯湯ユニット８ａ，８ｂに送られた水媒体は、各熱交換コイル８２ａ，８２ｂにおいて貯湯タンク８１ａ，８１ｂ内の水媒体と熱交換を行って放熱する。これにより、各貯湯タンク８１ａ，８１ｂ内の水媒体は加熱される。
【００９４】
また、暖房運転の場合、各水媒体切換機構１６１ａ，１６１ｂは、各貯湯ユニット８ａ，８ｂ側及び各水利用冷暖房ユニット９ａ，９ｂ、又は各水利用冷暖房ユニット９ａ，９ｂのみに水媒体を供給する状態に切り換えられる。従って、暖房運転の場合、各循環ポンプ４３ａ，４３ｂによって昇圧された水媒体（即ち、温水）は、各利用ユニット４ａ，４ｂから水媒体連絡管１６ａ，１６ｂそれぞれを介して各貯湯ユニット８ａ，８ｂ及び各水利用冷暖房ユニット９ａ，９ｂ、又は各水利用冷暖房ユニット９ａ，９ｂのみに送られる。各貯湯ユニット８ａ，８ｂに送られた水媒体（即ち、温水）は、各熱交換コイル８２ａ，８２ｂにおいて貯湯タンク８１ａ，８１ｂ内の水媒体と熱交換を行って放熱する。これにより、各貯湯タンク８１ａ，８１ｂ内の水媒体は加熱される。また、各水利用冷暖房ユニット９ａ，９ｂに送られた水媒体は、熱交換パネル９１ａ，９１ｂそれぞれにおいて放熱する。これにより、室内の壁際等や室内の床が加熱されるようになる。
【００９５】
−冷房運転−
この場合、熱源側冷媒回路２０においては、熱源側切換機構２３が熱源側放熱運転状態（図１の熱源側切換機構２３の実線で示された状態）に切り換えられ、吸入戻し膨張弁２６ａは開放された状態となる。尚、熱源側熱交換器２４は、放熱器として機能し、各利用側熱交換器４１ａ，４１ｂは、蒸発器として機能する。
【００９６】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３及び第１熱源側ガス冷媒管２３ａを通じて、熱源側熱交換器２４に送られる。熱源側熱交換器２４に送られた高圧の熱源側冷媒は、熱源側熱交換器２４において、熱源側ファン３２によって供給される室外空気と熱交換を行って放熱する。熱源側熱交換器において放熱した高圧の熱源側冷媒は、熱源側膨張弁２５を通じて、過冷却器２７に送られる。過冷却器２７に送られた熱源側冷媒は、熱源側液冷媒管２４ａから吸入戻し管２６に分岐された熱源側冷媒と熱交換を行って過冷却状態になるように冷却される。吸入戻し管２６を流れる熱源側冷媒は、熱源側吸入管２１ｃに戻される。過冷却器２７において冷却された熱源側冷媒は、熱源側液冷媒管２４ａ及び液側閉鎖弁２９を通じて、熱源ユニット２から液冷媒連絡管１３に送られる。
【００９７】
熱源ユニット２から液冷媒連絡管１３に送られた高圧の熱源側冷媒は、各利用ユニット４ａ，４ｂに送られる。各利用ユニット４ａ，４ｂに送られた高圧の熱源側冷媒は、利用側冷媒管４５ａ，４５ｂそれぞれを介して各利用側流量調節弁４２ａ，４２ｂに送られる。各利用側流量調節弁４２ａ，４２ｂにて、高圧の熱源側冷媒は減圧され、低圧の気液二相状態になり、各利用側熱交換器４１ａ，４１ｂに送られる。各利用側熱交換器４１ａ，４１ｂに送られた低圧の熱源側冷媒は、水媒体回路８０ａ，８０ｂそれぞれを循環する水媒体と熱交換を行って蒸発する。各利用側熱交換器４１ａ，４１ｂにおいて蒸発した低圧の熱源側冷媒は、利用側冷媒管４６ａ，４６ｂそれぞれを通じてガス冷媒連絡管１４に送られる。
【００９８】
ガス冷媒連絡管１４に送られた熱源側冷媒は、熱源ユニット２に送られる。熱源ユニット２に送られた熱源側冷媒は、ガス側閉鎖弁３０、第２熱源側ガス冷媒管２３ｂ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【００９９】
また、各水媒体回路８０ａ，８０ｂにおいては、水媒体冷却運転が行われる。即ち、各利用側熱交換器４１ａ，４１ｂにおける熱源側冷媒の蒸発によって、水媒体回路８０ａ，８０ｂそれぞれを循環する水媒体が冷却される。各利用側熱交換器４１ａ，４１ｂにおいて冷却された水媒体（即ち、冷水）は、利用側水出口管４８ａ，４８ｂそれぞれを介して各循環ポンプ４３ａ，４３ｂに吸入され昇圧される。
【０１００】
ここで、冷房運転の場合、各水媒体切換機構１６１ａ，１６１ｂは、各貯湯ユニット８ａ，８ｂ側へは水媒体を供給せず、各水利用冷暖房ユニット９ａ，９ｂ側のみに水媒体を供給する状態に切り換えられる。従って、冷房運転の場合、各循環ポンプ４３ａ，４３ｂによって昇圧された水媒体（即ち、冷水）は、各利用ユニット４ａ，４ｂから水媒体連絡管１６ａ，１６ｂそれぞれを介して各水利用冷暖房ユニット９ａ，９ｂに送られる。各水利用冷暖房ユニット９ａ，９ｂに送られた水媒体（即ち、冷水）は、熱交換パネル９１ａ，９１ｂそれぞれにおいて吸熱する。これにより、室内の壁際等や室内の床が冷却されるようになる。
【０１０１】
−ヒートポンプシステム１の全体的な動作の流れ−
図４及び図５は、本実施形態に係るヒートポンプシステム１が冷房運転を行っている場合における、該システム１の全体的な動作の流れを示すフロー図である。尚、以下では、利用側流量調節弁４２ａ，４２ｂの開度は、はじめから“開”の状態であり、循環ポンプ４３ａ，４３ｂは、運転容量が所定容量となるように、運転容量制御が行われているものとする。
【０１０２】
ステップＳ１〜Ｓ３：各利用ユニット４ａ，４ｂにおける水媒体の設定温度Ｔｓａ，Ｔｓｂが、リモートコントローラ（図示せず）等を介してユーザ等により入力されたとする（Ｓ１）。この場合、各利用ユニット４ａ，４ｂにおいて第２目標蒸発温度演算部１９１ａ，１９１ｂとして機能する利用側制御部１９ａ，１９ｂは、自身の利用ユニット４ａ，４ｂにおける第２目標蒸発温度Ｔｔｅ２ａ，Ｔｔｅ２ｂを演算する。つまり、利用側制御部１９ａ，１９ｂは、各利用側熱交換器４１ａ，４１ｂの出口における水媒体の温度が所定の設定温度Ｔｓａ，Ｔｓｂとなるための蒸発温度Ｔｅを演算し、これを第２目標蒸発温度Ｔｔｅ２ａ，Ｔｔｅ２ｂとする（Ｓ２）。そして、各利用ユニット４ａ，４ｂの利用側通信部１８ａ，１８ｂは、演算結果である第２目標蒸発温度Ｔｔｅ２ａ，Ｔｔｅ２ｂを熱源ユニット２側に送信し（Ｓ４）、熱源ユニット２の熱源側通信部１１は、これを受信する（Ｓ３）。
【０１０３】
ステップＳ４〜Ｓ５：熱源ユニット２において、第１目標蒸発温度決定部１２ａとして機能する熱源側制御部１２は、各利用ユニット４ａ，４ｂによって演算された第２目標蒸発温度Ｔｔｅ２ａ，Ｔｔｅ２ｂの中の最小値を第１目標蒸発温度Ｔｔｅ１として決定する（Ｓ４）。熱源側通信部１１は、決定された第１目標蒸発温度Ｔｔｅ１を各利用ユニット４ａ，４ｂに送信し（Ｓ４）、各利用ユニット４ａ，４ｂの利用側通信部１８ａ，１８ｂは、これを受信する（Ｓ５）。
【０１０４】
ステップＳ６：熱源ユニット２において、運転容量制御部１２ｂとして機能する熱源側制御部１２は、各利用側熱交換器４１ａ，４１ｂにおける冷媒の蒸発温度ＴｅがステップＳ４にて決定した第１目標蒸発温度Ｔｔｅ１となるように、熱源側圧縮機２１の運転容量を制御する。
【０１０５】
ステップＳ７〜Ｓ９：ステップＳ６に係る制御が行われてから所定時間が経過した後（例えば１０分等）、各利用ユニット４ａ，４ｂにおいて、開度制御部１９２ａ，１９２ｂとして機能する利用側制御部１９ａ，１９ｂは、蒸発温度Ｔｅと第２目標蒸発温度Ｔｔｅ２ａ，Ｔｔｅ２ｂとを比較すると共に、利用側熱交換器４１ａ，４１ｂの出口における水媒体（即ち、冷水）の温度Ｔｗｌａ，Ｔｗｌｂと自身の利用ユニット４ａ，４ｂにおける設定温度Ｔｓａ，Ｔｓｂとを比較する。蒸発温度Ｔｅが第２目標蒸発温度Ｔｔｅ２ａ，Ｔｔｅ２ｂよりも低く（Ｓ７のＹｅｓ、Ｔｅ＜Ｔｔｅ２ａ，Ｔｔｅ２ｂ）、かつ利用側熱交換器４１ａ，４１ｂの出口における水媒体（即ち、冷水）の温度Ｔｗｌａ，Ｔｗｌｂが所定の設定温度Ｔｓａ，Ｔｓｂよりも低い場合（Ｓ８のＹｅｓ、Ｔｗｌａ＜Ｔｓａ，Ｔｗｌｂ＜Ｔｓｂ）、利用側制御部１９ａ，１９ｂは、利用側流量調節弁４２ａ，４２ｂの開度を小さくする制御を行うことで、利用側熱交換器４１ａ，４１ｂの出口における水媒体の温度Ｔｗｌａ，Ｔｗｌｂが所定の設定温度Ｔｓａ，Ｔｓｂとなるように制御する（Ｓ９）。
【０１０６】
尚、ステップＳ７において、蒸発温度Ｔｅが第２目標蒸発温度Ｔｔｅ２ａ，Ｔｔｅ２ｂよりも同じかそれより高い場合（Ｓ７のＮｏ、Ｔｅ≧Ｔｔｅ２ａ，Ｔｔｅ２ｂ）、及びステップＳ８において、利用側熱交換器４１ａ，４１ｂの出口における水媒体（即ち、冷水）の温度Ｔｗｌａ，Ｔｗｌｂが所定の設定温度Ｔｓａ，Ｔｓｂと同じかそれより高い場合（Ｓ８のＮｏ、Ｔｗｌａ≧Ｔｓａ，Ｔｗｌｂ≧Ｔｓｂ）、熱源ユニット２及び該当する利用ユニット４ａ，４ｂについては、現在行われている制御が継続して行われる。
【０１０７】
特に、ステップＳ８において、利用側熱交換器４１ａ，４１ｂの出口における水媒体（即ち、冷水）の温度Ｔｗｌａ，Ｔｗｌｂが所定の設定温度Ｔｓａ，Ｔｓｂより高い状態が数秒継続した場合には（Ｓ８のＮｏ、Ｔｗｌａ＞Ｔｓａ，Ｔｗｌｂ＞Ｔｓｂ）、ポンプ容量制御部１９３ａ，１９３ｂとして機能する利用側制御部１９ａ、９ｂにより、出入口温度差ΔＴｗａ，ΔＴｗｂが所定の温度差ΔＴｗｓａ，ΔＴｗｓｂとなるように、循環ポンプ４３ａ，４３ｂの運転容量制御が行われるものとする。
【０１０８】
ステップＳ１０〜Ｓ１２：ステップＳ９に係る制御が所定時間行われた後（例えば１０分等）、各利用ユニット４ａ，４ｂにおいて、ポンプ容量制御部１９３ａ，１９３ｂとして機能する利用側制御部１９ａ，１９ｂは、再度蒸発温度Ｔｅと第２目標蒸発温度Ｔｔｅ２ａ，Ｔｔｅ２ｂとを比較すると共に、利用側熱交換器４１ａ，４１ｂの出口における水媒体（即ち、冷水）の温度Ｔｗｌａ，Ｔｗｌｂと自身の利用ユニット４ａ，４ｂにおける設定温度Ｔｓａ，Ｔｓｂとを比較する。未だに蒸発温度Ｔｅが第２目標蒸発温度Ｔｔｅ２ａ，Ｔｔｅ２ｂよりも低く（Ｓ１０のＹｅｓ、Ｔｅ＜Ｔｔｅ２ａ，Ｔｔｅ２ｂ）、かつ利用側熱交換器４１ａ，４１ｂの出口における水媒体（即ち、冷水）の温度Ｔｗｌａ，Ｔｗｌｂが所定の設定温度Ｔｓａ，Ｔｓｂよりも低い場合（Ｓ１１のＹｅｓ、Ｔｗｌａ＜Ｔｓａ，Ｔｗｌｂ＜Ｔｓｂ）、利用側制御部１９ａ，１９ｂは、利用側熱交換器４１ａ，４１ｂの入口における水媒体の温度Ｔｗｒａ，Ｔｗｒｂが所定の設定温度Ｔｓａ，Ｔｓｂから所定の温度差ΔＴｗｓａ，ΔＴｗｓｂを減算した値となるように（Ｔｗｒａ＝Ｔｓａ−ΔＴｗｓａ，Ｔｗｒｂ＝Ｔｓｂ−ΔＴｗｓｂ）、循環ポンプ４３ａ，４３ｂの運転容量制御を行う（Ｓ１２）。具体的には、循環ポンプ４３ａ，４３ｂの運転容量は、小さくなる方向に制御される。
【０１０９】
尚、ステップＳ１０において、蒸発温度Ｔｅが第２目標蒸発温度Ｔｔｅ２ａ，Ｔｔｅ２ｂよりも同じかそれより高い場合（Ｓ１０のＮｏ、Ｔｅ≧Ｔｔｅ２ａ，Ｔｔｅ２ｂ）、及びステップＳ１１において、利用側熱交換器４１ａ，４１ｂの出口における水媒体（即ち、冷水）の温度Ｔｗｌａ，Ｔｗｌｂが所定の設定温度Ｔｓａ，Ｔｓｂと同じかそれより高い場合（Ｓ１１のＮｏ、Ｔｗｌａ≧Ｔｓａ，Ｔｗｌｂ≧Ｔｓｂ）、熱源ユニット２については現在行われている熱源側圧縮機２１の運転容量制御が行われ、該当する利用ユニット４ａ，４ｂについては、現在行われているステップＳ９の開度制御が継続して行われる。
【０１１０】
尚、ステップＳ９の制御においては、利用側制御部１９ａ，１９ｂによる制御対象が利用側熱交換器４１ａ，４１ｂの出口温度Ｔｗｌａ，Ｔｗｌｂであったが、このステップＳ１２の制御からは、利用側制御部１９ａ，１９ｂによる制御対象が、出口温度Ｔｗｌａ，Ｔｗｌｂから入口温度Ｔｗｒａ，Ｔｗｒｂへとシフトされたといえる。
【０１１１】
＜特徴＞
このヒートポンプシステム１には、以下のような特徴がある。
【０１１２】
（１）
このヒートポンプシステム１では、冷房運転が行われている際、各利用ユニット４ａ，４ｂの利用側熱交換器４１ａ，４１ｂの出口における水媒体の温度Ｔｗｌａ，Ｔｗｌｂが所定の設定温度Ｔｓａ，Ｔｓｂとなるための第２目標蒸発温度Ｔｔｅ２ａ，Ｔｔｅ２ｂのうち、最小値が、第１目標蒸発温度Ｔｔｅ１として決定される。そして、各利用側熱交換器４１ａ，４１ｂにおける冷媒の蒸発温度Ｔｅがこの第１目標蒸発温度Ｔｔｅ１となるように、熱源側圧縮機２１の運転容量制御が行われる。これにより、水媒体の設定温度Ｔｓａ，Ｔｓｂが個々に異なっている複数の利用ユニット４ａ，４ｂが単一熱源に接続されたヒートポンプシステム１において、各利用ユニット４ａ，４ｂには、最適な温度の水媒体が供給されることになる。従って、全ての利用ユニット４ａ，４ｂの中で予測される水媒体の最低水温で常に運転するといった手法を用いずに、別々の温度の水が利用できるシステムを実現することができるため、不必要に低い効率となることを防ぐことができる。
【０１１３】
尚、設定温度Ｔｓａ，Ｔｓｂの値によっては、各利用側熱交換器４１ａ，４１ｂにおける冷媒の蒸発温度Ｔｅが第１目標蒸発温度Ｔｔｅ１となるように熱源側圧縮機２１の運転容量制御が行われることによって、利用側熱交換器４１ａ，４１ｂの出口における水媒体の温度Ｔｗｌａ，Ｔｗｌｂが所定の設定温度Ｔｓａ，Ｔｓｂとなることができる。この場合、水媒体の最低水温で常に運転するといった手法を用いた場合には必要であったバイパス弁等を設けずに済むため、ヒートポンプシステム１のコストを削減することもできる。
【０１１４】
（２）
複数台の利用ユニット４ａ，４ｂそれぞれの第２目標蒸発温度Ｔｔｅ２ａ，Ｔｔｅ２ｂにおける最小値（即ち、第１目標蒸発温度Ｔｔｅ１）に基づいて熱源ユニット２の熱源側圧縮機２１の運転容量制御がなされると、利用ユニット４ａ，４ｂによっては、蒸発温度Ｔｅが、対応する第２目標蒸発温度Ｔｔｅ２ａ，Ｔｔｅ２ｂよりも低くなり（Ｔｅ＜Ｔｔｅ２ａ，Ｔｔｅ２ｂ）、利用側熱交換器４１ａ，４１ｂの水媒体の出口温度Ｔｗｌａ，Ｔｗｌｂが所定の設定温度Ｔｓａ，Ｔｓｂよりも低くなる現象が生じる恐れがある。しかし、このヒートポンプシステム１では、蒸発温度Ｔｅが第２目標蒸発温度Ｔｔｅ２ａ，Ｔｔｅ２ｂよりも低く（Ｔｅ＜Ｔｔｅ２ａ，Ｔｔｅ２ｂ）、かつ利用側熱交換器４１ａ，４１ｂの出口における水媒体の温度Ｔｗｌａ，Ｔｗｌｂが所定の設定温度Ｔｓａ，Ｔｓｂよりも低い場合（Ｔｗｌａ＜Ｔｓａ，Ｔｗｌｂ＜Ｔｓｂ）、利用側流量調節弁４２ａ，４２ｂの開度を可変させる制御が行われる。これにより、利用側熱交換器４１ａ，４１ｂ内を流れる熱源側冷媒の流量を制御することができ、各利用ユニット４ａ，４ｂから出力される水媒体の温度を調節することが可能となる。
【０１１５】
（３）
具体的に、蒸発温度Ｔｅが第２目標蒸発温度Ｔｔｅ２ａ，Ｔｔｅ２ｂよりも低く（Ｔｅ＜Ｔｔｅ２ａ，Ｔｔｅ２ｂ）、かつ利用側熱交換器４１ａ，４１ｂの水媒体の出口温度Ｔｗｌａ，Ｔｗｌｂが所定の設定温度Ｔｓａ，Ｔｓｂよりも低い場合には（Ｔｗｌａ＜Ｔｓａ，Ｔｗｌｂ＜Ｔｓｂ）、利用側流量調節弁４２ａ，４２ｂの開度は絞られる。これにより、利用側熱交換器４１ａ，４１ｂ内を流れる冷媒の流量が減少するため、利用側熱交換器４１ａ，４１ｂにおける冷媒と水媒体との熱交換能力は、利用側流量調節弁４２ａ，４２ｂの開度が絞られる前に比して低下する。よって、利用側熱交換器４１ａ，４１ｂにて熱交換された後の水媒体の温度は、利用側流量調節弁４２ａ，４２ｂの開度が絞られる前に比して上昇する。従って、各利用ユニット４ａ，４ｂから出力される水媒体の温度は、最適化される。
【０１１６】
（４）
また、このヒートポンプシステム１では、利用ユニット４ａ，４ｂにおける蒸発温度Ｔｅが第２目標蒸発温度Ｔｔｅ２ａ，Ｔｔｅ２ｂよりも低く（Ｔｅ＜Ｔｔｅ２ａ，Ｔｔｅ２ｂ）、かつ利用側熱交換器４１ａ，４１ｂにおける水媒体の出口温度Ｔｗｌａ，Ｔｗｌｂが所定の設定温度Ｔｓａ，Ｔｓｂよりも低い場合には（Ｔｗｌａ＜Ｔｓａ，Ｔｗｌｂ＜Ｔｓｂ）、循環ポンプ４３ａ，４３ｂの運転容量を可変する制御が行われる。これにより、水媒体回路８０ａ，８０ｂ内を循環する水媒体の流量を制御することができ、各利用ユニット４ａ，４ｂから出力される水媒体の温度を調節することが可能となる。
【０１１７】
（５）
具体的に、利用ユニット４ａ，４ｂにおける蒸発温度Ｔｅが第２目標蒸発温度Ｔｔｅ２ａ，Ｔｔｅ２ｂよりも低く（Ｔｅ＜Ｔｔｅ２ａ，Ｔｔｅ２ｂ）、かつ利用側熱交換器４１ａ，４１ｂにおける水媒体の出口温度Ｔｗｌａ，Ｔｗｌｂが所定の設定温度Ｔｓａ，Ｔｓｂよりも低い場合には（Ｔｗｌａ＜Ｔｓａ，Ｔｗｌｂ＜Ｔｓｂ）、利用側熱交換器４１ａ，４１ｂの水媒体の入口温度Ｔｗｒａ，Ｔｗｒｂそれぞれが所定の設定温度Ｔｓａ，Ｔｓｂから所定の温度差ΔＴｗｓａ，ΔＴｗｓｂを減算した値となるように、循環ポンプ４３ａ，４３ｂの運転容量が制御される。これにより、利用側熱交換器４１ａ，４１ｂの水媒体の出口温度Ｔｗｌａ，Ｔｗｌｂを、入口温度Ｔｗｒａ，Ｔｗｒｂに所定の温度差ΔＴｗｓａ，ΔＴｗｓｂを足した温度、つまりは所定の設定温度Ｔｓａ，Ｔｓｂに制御することができる。従って、各利用ユニット４ａ，４ｂから出力される水媒体の温度は、最適化されるようになる。
【０１１８】
（６）
特に、このヒートポンプシステム１では、利用ユニット４ａ，４ｂにおける蒸発温度Ｔｅが第２目標蒸発温度Ｔｔｅ２ａ，Ｔｔｅ２ｂよりも低く（Ｔｅ＜Ｔｔｅ２ａ，Ｔｔｅ２ｂ）、かつ利用側熱交換器４１ａ，４１ｂにおける水媒体の出口温度Ｔｗｌａ，Ｔｗｌｂが所定の設定温度Ｔｓａ，Ｔｓｂよりも低い場合には（Ｔｗｌａ＜Ｔｓａ，Ｔｗｌｂ＜Ｔｓｂ）、先ずは利用側流量調節弁４２ａ，４２ｂの開度制御が行われる。そして、当該開度制御を行っても、未だ蒸発温度Ｔｅが第２目標蒸発温度Ｔｔｅ２ａ，Ｔｔｅ２ｂよりも低いために（Ｔｅ＜Ｔｔｅ２ａ，Ｔｔｅ２ｂ）、利用側熱交換器４１ａ，４１ｂの水媒体の出口温度Ｔｗｌａ，Ｔｗｌｂが所定の設定温度Ｔｓａ，Ｔｓｂに至らなかった場合には、循環ポンプ４３ａ，４３ｂの運転容量の可変制御が行われる。つまり、先ずは利用側熱交換器４１ａ，４１ｂを流れる冷媒の流量が調節され、それでもなお水媒体の出口温度Ｔｗｌａ，Ｔｗｌｂが所定の設定温度Ｔｓａ，Ｔｓｂに至らない場合には、水媒体回路８０ａ，８０ｂ内を循環する水媒体の流量が調節される。これにより、各利用ユニット４ａ，４ｂから出力される水媒体の温度を、確実に最適化することができる。
【０１１９】
＜本実施形態に係るヒートポンプシステム１の変形例＞
（Ａ）
上述のヒートポンプシステム１では、各利用ユニット４ａ，４ｂ側にて第２目標蒸発温度Ｔｔｅ２ａ，Ｔｔｅ２ｂが演算され、熱源ユニット２側にて第１目標蒸発温度Ｔｔｅ１が演算される場合について説明した。しかし、個々の利用ユニット４ａ，４ｂの第２目標蒸発温度Ｔｔｅ２ａ，Ｔｔｅ２ｂの演算は、第１目標蒸発温度Ｔｔｅ１の演算と同様に熱源ユニット２側で行われてもよい。
【０１２０】
この場合の、熱源側制御部１２とその周辺機器の模式図を図６に示し、利用側制御部１９ａ，１９ｂとその周辺機器の模式図を図７に示す。この場合、図６に示すように、熱源側制御部１２は、上述した図２の第１目標蒸発温度決定部１２ａの代わりに、個々の利用ユニット４ａ，４ｂの第２目標蒸発温度Ｔｔｅ２ａ，Ｔｔｅ２ｂの演算及び第１目標蒸発温度Ｔｔｅ１の決定を行う温度決定部１２ｃとして機能することができる。また、図７に示すように、利用側制御部１９ａ，１９ｂは、図３に示した第２目標蒸発温度演算部１９１ａ，１９１ｂとしては機能せず、開度制御部１９２ａ，１９２ｂ及びポンプ容量制御部１９３ａ，１９３ｂとして機能することができる。
【０１２１】
尚、個々の利用ユニット４ａ，４ｂの第２目標蒸発温度Ｔｔｅ２ａ，Ｔｔｅ２ｂの演算が熱源ユニット２側で行われる場合、各利用ユニット４ａ，４ｂから熱源ユニット２へは、利用ユニット４ａ，４ｂの第２目標蒸発温度Ｔｔｅ２ａ，Ｔｔｅ２ｂを演算するために必要なデータとして、各設定温度Ｔｓａ，Ｔｓｂや各利用側流量調節弁４２ａ，４２ｂの開度状態等といったデータが送られる。
【０１２２】
また、図６，７において、熱源側制御部１２及び利用側制御部１９ａ，１９ｂの接続構成等については、図２，３に係る熱源側制御部１２及び利用側制御部１９ａ，１９ｂの接続構成等と同様である。そのため、図６，７においては、「温度決定部１２ｃ」を除く他の構成には図２，３と同一の符号を付しており、よってその詳細な説明を省略する。
【０１２３】
（Ｂ）
上述のヒートポンプシステム１では、利用側流量調節弁４２ａ，４２ｂの開度制御及び循環ポンプ４３ａ，４３ｂの容量制御において、蒸発温度Ｔｅと第２目標蒸発温度Ｔｔｅ２ａ，Ｔｔｅ２ｂとが比較されると説明した（図４のステップＳ７，図５のステップＳ１０）。
【０１２４】
しかし、本発明に係るヒートポンプシステムでは、図８のステップＳ１７及び図９のステップＳ２０に示すように、利用側流量調節弁４２ａ，４２ｂの開度制御及び循環ポンプ４３ａ，４３ｂの容量制御の実施条件において、第１目標蒸発温度Ｔｔｅ１と第２目標蒸発温度Ｔｔｅ２ａ，Ｔｔｅ２ｂとが比較されてもよい。つまり、第１目標蒸発温度Ｔｔｅ１が第２目標蒸発温度Ｔｔｅ２ａ，Ｔｔｅ２ｂよりも低く（Ｔｔｅ１＜Ｔｔｅ２ａ，Ｔｔｅ２ｂ）、かつ利用側熱交換器４１ａ，４１ｂにおける水媒体の出口温度Ｔｗｌａ，Ｔｗｌｂが所定の設定温度Ｔｓａ，Ｔｓｂよりも低い場合に（Ｔｗｌａ＜Ｔｓａ，Ｔｗｌｂ＜Ｔｓｂ）、利用側流量調節弁４２ａ，４２ｂの開度制御が行われ、循環ポンプ４３ａ，４３ｂの容量制御が行われる。なぜならば、熱源側圧縮機２１の運転容量は、各利用ユニット４ａ，４ｂの第２目標蒸発温度Ｔｔｅ２ａ，Ｔｔｅ２ｂのうち最小値に基づいて制御されるため、利用側熱交換器４１ａ，４１ｂにおける熱源側冷媒の蒸発温度Ｔｅは、やがて第２目標蒸発温度Ｔｔｅ２ａ，Ｔｔｅ２ｂと同じかまたはそれより低い第１目標蒸発温度Ｔｔｅ１に至るからである。従って、蒸発温度Ｔｅと第２目標蒸発温度Ｔｔｅ２ａ，Ｔｔｅ２ｂの比較ではなく、第１目標蒸発温度Ｔｔｅ１と第２目標蒸発温度Ｔｔｅ２ａ，Ｔｔｅ２ｂとの比較がなされてもよい。
【０１２５】
尚、図８，９は、本変形例に係るヒートポンプシステム１の冷房運転時の全体的な動作フローを示している。図８，９では、ステップＳ１７，Ｓ２０を除く他のステップについては、図４，５と同一のステップ番号が付されている。従って、図８，９の詳細な説明については、省略している。
【０１２６】
―蒸発器過熱度一定制御についてー
上記「開度制御部」でも少し記載したが、図４，５及び図８，９に係るヒートポンプシステム１の動作に係る利用側流量調節弁４２ａ，４２ｂの開度制御においては、蒸発器過熱度一定制御が行われていてもよい。具体的に、例えば図８，９のステップＳ１７，Ｓ８において、第１目標蒸発温度Ｔｔｅ１が第２目標蒸発温度Ｔｔｅ２ａ，Ｔｔｅ２ｂよりも低くかつ水媒体の出口温度Ｔｗｌａ，Ｔｗｌｂが所定の設定温度Ｔｓａ，Ｔｓｂよりも低い場合には（Ｓ１７のＹｅｓ、図８のＳ８のＹｅｓ）、蒸発過熱度の目標値に補正値を加算し、該目標値を所定範囲内にて高めとなるようにシフトさせることによって、冷媒流量の補正制御、つまりは利用側流量調節弁４２ａ，４２ｂの開度制御が行われる。また、ステップＳ１７において、第１目標蒸発温度Ｔｔｅ１が第２目標蒸発温度Ｔｔｅ２ａ，Ｔｔｅ２ｂよりも高ければ（Ｓ１７のＮｏ）、蒸発過熱度の目標値はデフォルト値に戻される。また、ステップＳ８において、水媒体の出口温度Ｔｗｌａ，Ｔｗｌｂが所定の設定温度Ｔｓａ，Ｔｓｂよりも高くなれば（Ｓ８のＮｏ）、蒸発過熱度の目標値から補正値を減算し、該目標値を所定範囲内にて低めにシフトさせることによって、冷媒流量の補正制御、つまりは利用側流量調節弁４２ａ，４２ｂの開度制御が行われる。
【０１２７】
（Ｃ）
上述のヒートポンプシステム１では、図４及び図５に示すように、利用側熱交換器４１ａ，４１ｂの出口における水媒体の温度Ｔｗｌａ，Ｔｗｌｂが所定の設定温度Ｔｓａ，Ｔｓｂよりも低い場合には、先ずは利用側流量調節弁４２ａ，４２ｂの開度制御が行われ、次いで循環ポンプ４３ａ，４３ｂの運転容量制御が行われる場合について説明した。しかし、先に循環ポンプ４３ａ，４３ｂの運転容量制御を行い、次いで利用側流量調節弁４２ａ，４２ｂの開度制御が行われてもよい。
また、利用側流量調節弁４２ａ，４２ｂの開度制御のみ、または循環ポンプ４３ａ，４３ｂの運転容量制御のみが行われてもよい。
【０１２８】
（Ｄ）
上述では、図１に示すように、熱源側冷媒回路２０及び水媒体回路８０ａ，８０ｂを構成する、いわゆる１元の冷媒回路を有するヒートポンプシステム１について説明した。しかし、本発明に係るヒートポンプシステムは、図１０に示すような２元の冷媒回路を有するシステム構成であってもよい。
図１０のヒートポンプシステム１では、熱源側冷媒回路２０及び水媒体回路８０ａ，８０ｂに加え、利用側冷媒回路４０ａ，４０ｂが構成されている。利用側冷媒回路４０ａ，４０ｂは、それぞれ利用ユニット４ａ，４ｂ内に構成されており、熱源側冷媒回路２０と水媒体回路８０ａ，８０ｂとの間に位置している。各利用側冷媒回路４０ａ，４０ｂは、主として、利用側圧縮機６２ａ，６２ｂ、利用側アキュムレータ６７ａ，６７ｂ、利用側熱交換器４１ａ，４１ｂ及び冷媒―水熱交換器６５ａ，６５ｂで構成されており、その内部には、利用側冷媒が循環している。この場合、利用側熱交換気４１ａ，４１ｂは、熱源側冷媒と水媒体との熱交換を行うのではなく、熱源側冷媒と利用側冷媒との熱交換を行い、冷媒―水熱交換気６５ａ，６５ｂは、利用側冷媒と水媒体との熱交換を行う。
【０１２９】
図１０のようなシステム構成では、給湯運転及び暖房運転時、利用側熱交換気４１ａ，４１ｂは、熱源側冷媒の放熱器として機能すると共に利用側冷媒の蒸発器として機能し、冷媒―水熱交換器６５ａ，６５ｂは、利用側冷媒の放熱器として機能する。従って、給湯運転及び暖房運転時、図１のシステムよりも、より高温の水媒体を利用ユニット４ａ，４ｂから貯湯ユニット８ａ，８ｂ及び水利用冷暖房ユニット９ａ，９ｂに供給することが可能となる。
【０１３０】
尚、図１０の利用側冷媒回路４０ａ，４０ｂを除く他の構成は、図１の構成と同様であるため、図１と同一の符号を付している。従って、図１０に係る利用側冷媒回路４０ａ，４０ｂを除く他の構成についての詳細な説明は、省略する。
【０１３１】
（Ｅ）
上述のヒートポンプシステム１では、熱源ユニット２に、水媒体を利用する利用ユニット４ａ，４ｂが接続されている場合について説明した。しかし、本発明に係るヒートポンプシステムは、熱源ユニット２、水媒体を利用する複数の利用ユニット４ａ，４ｂに加え、熱源側冷媒を用いて空気を空調する空調機を更に備えていてもよい。この場合、空調機は、利用ユニット４ａ，４ｂと同様、熱源ユニット２に接続される。
【０１３２】
（Ｆ）
上述のヒートポンプシステム１では、利用側流量調節弁４２ａ，４２ｂ及び循環ポンプ４３ａ，４３ｂが、それぞれ利用ユニット４ａ，４ｂ内に設けられている場合について説明した。しかし、利用側熱交換器４１ａ，４１ｂ内を流れる冷媒の流量が調節されればよいため、該冷媒の流量を調節する流量調節弁の設置位置は、利用ユニット４ａ，４ｂ内でなくてもよい。また、水媒体回路８０ａ，８０ｂ内を流れる水媒体が循環ポンプによって循環されればよいため、容量可変型の循環ポンプの設置位置も、利用ユニット４ａ，４ｂ内でなくても良い。
【産業上の利用可能性】
【０１３３】
本発明を利用すれば、ヒートポンプサイクルを利用して水媒体を冷却することが可能なヒートポンプシステムにおいて、不必要に低い効率での運転が行われるのを防ぐことができる。
【符号の説明】
【０１３４】
１  ヒートポンプシステム
２  熱源ユニット
４ａ，４ｂ  利用ユニット
８ａ，８ｂ  貯湯ユニット
９ａ，９ｂ  水利用冷暖房ユニット
１１  熱源側通信部
１２  熱源側制御部
１２ａ  第１目標蒸発温度決定部
１２ｂ  運転容量制御部
１８ａ，１８ｂ  利用側通信部
１９ａ，１９ｂ  利用側制御部
２１  熱源側圧縮機
２１ａ  熱源側圧縮機モータ
２４  熱源側熱交換器
４１ａ，４１ｂ  利用側熱交換器
４２ａ，４２ｂ  利用側流量調節弁
４３ａ，４３ｂ  循環ポンプ
４４ａ，４４ｂ  循環ポンプモータ
８０ａ，８０ｂ  水媒体回路
１９１ａ，１９１ｂ  第２目標蒸発温度演算部
１９２ａ，１９２ｂ  開度制御部
１９３ａ，１９３ｂ  ポンプ容量制御部
１６１ａ，１６１ｂ  水媒体切換機構
１２ｃ  温度決定部
【先行技術文献】
【特許文献】
【０１３５】
【特許文献１】特開２００７−１６３０９９号公報
【図１】
0005498511.tif 000002
【図２】
0005498511.tif 000003
【図３】
0005498511.tif 000004
【図４】
0005498511.tif 000005
【図５】
0005498511.tif 000006
【図６】
0005498511.tif 000007
【図７】
0005498511.tif 000008
【図８】
0005498511.tif 000009
【図９】
0005498511.tif 000010
【図１０】
0005498511.tif 000011